(57)【要約】【課題】  少なくとも一つの患者の指標をモニターする少なくとも一つのメディカルセンサーと、それぞれモニターワイヤレストランシーバーとメディカル情報ディスプレイを有する複数のメディカルモニターと、患者付添アセンブリーワイヤレストランシーバーを含む患者付添アセンブリーと、ワイヤレスで複数のメディカルモニターのうちの一つを初期選択し、オペレーターが視認できるモニター選択表示をするメディカルモニターセレクターとを含むオペレーター制御メディカルモニタリングシステム。【選択図】  なし【特許請求の範囲】
【請求項１】
少なくとも一つの患者の指標をモニターすることに適した、少なくとも一つのメディカルセンサーと、
各々モニターワイヤレストランシーバーとメディカル情報ディスプレイとを備えた複数のメディカルモニターと、
ワイヤレスで初期的に、複数のメディカルモニターのうちの一つを選択し、オペレーターが視覚的にセンシングできるモニター選択表示を提供する患者付添アセンブリーワイヤレストランシーバーとメディカルモニターセレクターとを備えた患者付添アセンブリーと
を有することを特徴とするオペレーター制御メディカルモニタリングシステム。
【請求項２】
前記患者付添アセンブリーが、オペレーター操作なしで自動的に、前記少なくとも一つのメディカルセンサーと、初期的に選択された複数のメディカルモニターのうちの一つとの間の通信を確立することを特徴とする請求項１に記載のオペレーター制御メディカルモニタリングシステム。
【請求項３】
前記患者付添アセンブリーが、前記複数のメディカルモニターの他の一つを自動的に選択するため、前記オペレーター操作に反応することを特徴とする請求項２に記載のオペレーター制御メディカルモニタリングシステム。
【請求項４】
前記少なくとも一つのメディカルセンサーが、前記患者付添アセンブリーワイヤレストランシーバーと通信するセンサーワイヤレストランスミッターを備えたことを特徴とする請求項１から３のいずれかに記載のオペレーター制御メディカルモニタリングシステム。
【請求項５】
前記患者付添アセンブリーが、前記少なくとも一つのメディカルセンサーの活性化を表示し、前記変化のセンシングに応じて、前記患者付添アセンブリーの電源を入れる、前記オペレーター制御メディカルモニタリングシステムの電気特性の変化をセンシングするセンシング回路を備えたことを特徴とする請求項１から４のいずれかに記載のオペレーター制御メディカルモニタリングシステム。
【請求項６】
電気特性の前記変化がインピーダンス変化を含むことを特徴とする請求項５に記載のオペレーター制御メディカルモニタリングシステム。
【請求項７】
前記患者付添アセンブリーが、少なくとも一つのメディカルセンサーサブユニットを備えたことを特徴とする請求項１から６のいずれかに記載のオペレーター制御メディカルモニタリングシステム。
【請求項８】
前記少なくとも一つのメディカルセンサーインターフェースサブユニットが、圧力センサーインターフェースサブユニット、ＥＣＧセンサーインターフェースサブユニット、ＳＰＯ２センサーインターフェースサブユニット、温度センサーインターフェースサブユニット、血液化学センサーインターフェースサブユニット、呼吸パラメーターセンサーインターフェースサブユニットのうちの少なくとも一つを備えたことを特徴とする請求項７に記載のオペレーター制御メディカルモニタリングシステム。
【請求項９】
前記圧力センサーインターフェースサブユニットが、
各々、メディカル圧力センサーに接続される複数の圧力センサーコネクターと、
各々、前記複数の圧力センサーコネクターの一つに接続され、各々アンプとフィルターを備えた複数の圧力入力チャンネルインターフェースと、
前記複数の圧力入力チャンネルインターフェースから受信したアナログ圧力センサー信号を、デジタル圧力センサー信号に変換する、少なくとも一つのＡ／Ｄコンバーターと、
前記デジタル圧力センサー信号をデジタルワイヤレス通信に適合させ、前記デジタル圧力センサー信号を、前記患者付添アセンブリーワイヤレストランシーバーに供給する圧力センサー入力プロセッサーと
を備えたことを特徴とする請求項８に記載のオペレーター制御メディカルモニタリングシステム。
【請求項１０】
前記ＥＣＧセンサーインターフェースサブユニットが、
複数のチャンネルを含み、その各々がＥＣＧ電極に結合される、マルチチャンネルＥＣＧセンサーコネクターと、
前記マルチチャンネルＥＣＧセンサーコネクターと結合され、アンプとフィルターとを備えたＥＣＧ入力チャンネルインターフェースと、
前記ＥＣＧ入力チャンネルインターフェースから受信したアナログＥＣＧ信号を、デジタルＥＣＧ信号に変換する、少なくとも一つのＡ／Ｄコンバーターと、
前記デジタルＥＣＧ信号をデジタルワイヤレス通信に適合させ、前記デジタルＥＣＧ信号を、前記患者付添アセンブリーワイヤレストランシーバーに供給するＥＣＧ入力プロセッサーと
を備えたことを特徴とする請求項８または９に記載のオペレーター制御メディカルモニタリングシステム。
【請求項１１】
前記ＳＰＯ２センサーインターフェースサブユニットが、
ＳＰＯ２センサーに接続されるＳＰＯ２センサーコネクターと、
前記ＳＰＯ２センサーコネクターと結合され、アンプとフィルターとを備えたＳＰＯ２入力チャンネルインターフェースと、
前記ＳＰＯ２入力チャンネルインターフェースから受信したアナログＳＰＯ２センサー信号を、デジタルＳＰＯ２センサー信号に変換する、少なくとも一つのＡ／Ｄコンバーターと、
前記デジタルＳＰＯ２センサー信号をデジタルワイヤレス通信に適合させ、前記デジタルＳＰＯ２センサー信号を、前記患者付添アセンブリーワイヤレストランシーバーに供給するＳＰＯ２入力プロセッサーと
を備えたことを特徴とする請求項８から１０のいずれかに記載のオペレーター制御メディカルモニタリングシステム。
【請求項１２】
前記温度センサーインターフェースサブユニットが、
温度センサーに接続される温度センサーコネクターと、
前記温度センサーコネクターと結合され、アンプとフィルターとを備えた温度入力チャンネルインターフェースと、
前記温度入力チャンネルインターフェースから受信したアナログ温度センサー信号を、デジタル温度センサー信号に変換し、前記デジタル温度センサー信号を、前記ＳＰＯ２入力プロセッサーを通して前記患者付添アセンブリーワイヤレストランシーバーに供給する少なくとも一つのＡ／Ｄコンバーターと
を備えたことを特徴とする請求項１１に記載のオペレーター制御メディカルモニタリングシステム。
【請求項１３】
前記血液化学センサーインターフェースサブユニットが、
少なくとも一つの血液化学センサーに接続される少なくとも一つの血液化学センサーコネクターと、
前記少なくとも一つの血液化学センサーコネクターと結合され、アンプとフィルターとを備えた少なくとも一つの血液化学入力チャンネルインターフェースと、
前記少なくとも一つの血液化学入力チャンネルインターフェースから受信したアナログ血液化学センサー信号を、デジタル血液化学センサー信号に変換するＡ／Ｄコンバーターと、
前記デジタル血液化学センサー信号をデジタルワイヤレス通信に適合させ、前記デジタル血液化学センサー信号を前記患者付添アセンブリーワイヤレストランシーバーに供給する血液化学入力プロセッサーと
を備えたことを特徴とする請求項８から１２のいずれかに記載のオペレーター制御メディカルモニタリングシステム。
【請求項１４】
前記呼吸パラメーターセンサーインターフェースサブユニットが、
少なくとも一つの呼吸パラメーターセンサーに接続される少なくとも一つの呼吸パラメーターセンサーコネクターと、
前記少なくとも一つの呼吸パラメーターセンサーコネクターと結合され、アンプとフィルターとを備えた少なくとも一つの呼吸パラメーター入力チャンネルインターフェースと、
前記少なくとも一つの呼吸パラメーター入力チャンネルインターフェースから受信したアナログ呼吸パラメーターセンサー信号を、デジタル呼吸パラメーターセンサー信号に変換するＡ／Ｄコンバーターと、
前記デジタル呼吸パラメーターセンサー信号をデジタルワイヤレス通信に適合させ、前記デジタル呼吸パラメーターセンサー信号を前記患者付添アセンブリーワイヤレストランシーバーに供給する呼吸パラメーター入力プロセッサーと
を備えたことを特徴とする請求項８から１３のいずれかに記載のオペレーター制御メディカルモニタリングシステム。
【請求項１５】
前記患者付添アセンブリーが、
前記少なくとも一つのメディカルセンサーインターフェースサブユニットの動作を制御するコントローラーと、
前記コントローラーの制御動作に有用な入力を供給する、オペレーターによる操作に適したマン−マシーンインターフェースと
を備えたことを特徴とする請求項７から１４のいずれかに記載のオペレーター制御メディカルモニタリングシステム。
【請求項１６】
前記患者付添アセンブリーが、
前記少なくとも一つのメディカルセンサーに付随した、対応する少なくとも一つのセンサーコネクターと適合する少なくとも一つのソケットと、
前記少なくとも一つのソケットに前記少なくとも一つのセンサーコネクターを挿入することにより、前記患者付添アセンブリーの電源を入にする、電源制御機能と
を有することを特徴とする請求項１から１５のいずれかに記載のオペレーター制御メディカルモニタリングシステム。
【請求項１７】
前記電源制御機能が、もし設定時間内に前記少なくとも一つのソケットに全くソケットが挿入されないとき、前記患者付添アセンブリーの電源を切にすることを特徴とする請求項１６に記載のオペレーター制御メディカルモニタリングシステム。
【請求項１８】
前記メディカルモニターセレクターが、
オペレーターの選択した複数の前記メディカルモニター中の一つに向け、オペレーター操作モニター選択信号を送るリモートコントロールデバイスを備えたことを特徴とする請求項２から１７のいずれかに記載のオペレーター制御メディカルモニタリングシステム。
【請求項１９】
前記患者付添アセンブリーが、前記複数のメディカルモニターの一つである患者付添アセンブリーモニターを有することを特徴とする請求項１から１８のいずれかに記載のオペレーター制御メディカルモニタリングシステム。
【請求項２０】
前記少なくとも一つのメディカルセンサーが、圧力センサー、温度センサー、ＥＣＧセンサー、ＳＰＯ２センサー、血液化学センサー、呼吸パラメーターセンサーのうちの少なくとも一つを有することを特徴とする請求項１から１９のいずれかに記載のオペレーター制御メディカルモニタリングシステム。
【請求項２１】
前記圧力センサーが頭蓋内圧センサー、動脈圧センサー、静脈圧センサーのうちの少なくとも一つを有することを特徴とする請求項２０に記載のオペレーター制御メディカルモニタリングシステム。
【請求項２２】
前記複数のメディカルモニターが各々、
前記メディカルモニターからの電力を、少なくとも一つの前記モニターワイヤレストランシーバーと、他のセンサーソケットに結合した電気回路に供給することを特徴とする請求項１から２１のいずれかに記載のオペレーター制御メディカルモニタリングシステム。
【請求項２３】
少なくとも一つの患者指標をモニターする少なくとも一つのセンサーと、各々モニターワイヤレストランシーバーとメディカル情報ディスプレイを有する複数のモニターとを有する、少なくとも一つのメディカルセンサーと、
ワイヤレスで複数のメディカルモニターの選択を初期化し、オペレーターが視認できるモニター選択表示をおこなう患者付添アセンブリーワイヤレストランシーバーとメディカルモニターセレクターとを有することを特徴とするオペレーター制御メディカルモニタリングシステムに有用な患者付添アセンブリー。
【請求項２４】
前記患者付添アセンブリーが、前記少なくとも一つのメディカルセンサーと前記初期に選択された複数のメディカルモニターの一つとの通信を、オペレーターの操作なしで、自動的に確立することを特徴とする請求項２３に記載の患者付添アセンブリー。
【請求項２５】
前記患者付添アセンブリーが、前記複数のメディカルモニターの他の一つの自動選択のための、オペレーターの操作に対応することを特徴とする請求項２４に記載の患者付添アセンブリー。
【請求項２６】
前記患者付添アセンブリーが、
前記少なくとも一つのメディカルセンサーの活性化を表示し、前記変化のセンシングの応じて前記患者付添アセンブリーの電源を入にする、前記オペレーター制御メディカルモニタリングシステムの電気特性の変化をセンシングするセンシング回路を有することを特徴とする請求項２３から２５のいずれかに記載の患者付添アセンブリー。
【請求項２７】
前記患者付添アセンブリーは、圧力センサーインターフェースサブユニット、ＥＣＧセンサーインターフェースサブユニット、ＳＰＯ２センサーインターフェースサブユニット、温度センサーインターフェースサブユニット、血液化学センサーインターフェースサブユニット、呼吸パラメーターセンサーインターフェースサブユニットのうちの少なくとも一つを備えた、少なくとも一つのメディカルセンサーインターフェースサブユニットを有することを特徴とする請求項２３から２６のいずれかに記載の患者付添アセンブリー。
【請求項２８】
前記患者付添アセンブリーが、
前記少なくとも一つのメディカルセンサーインターフェースサブユニットの動作を制御するコントローラーと、
前記コントローラーの動作を制御するうえで有用な入力をオペレーターが供給することに適したマン−マシーンインターフェースを有する
ことを特徴とする請求項２７に記載の患者付添アセンブリー。
【請求項２９】
前記患者付添アセンブリーが、
前記少なくとも一つのメディカルセンサーに付随した少なくとも一つのセンサーコネクターを受ける少なくとも一つのソケットと、
前記少なくとも一つのセンサーコネクターを前記少なくとも一つのソケットに挿入することにより、前記患者付添アセンブリーの電源を入にする電力制御機能を有する
ことを特徴とする請求項２３から２８のいずれかに記載の患者付添アセンブリー。
【請求項３０】
前記電力制御機能が、もし設定時間内に前記少なくとも一つのソケットにセンサーコネクターが接続されないときは、前記患者付添アセンブリーの電源を切にすることを特徴とする請求項２９に記載の患者付添アセンブリー。
【請求項３１】
前記メディカルモニターセレクターが、オペレーター操作モニター選択信号を、一般的に、前記複数のメディカルモニターのうちのオペレーターの選択した一つに向けるリモートコントロールデバイスを有することを特徴とする請求項２４から３０のいずれかに記載の患者付添アセンブリー。
【請求項３２】
前記患者付添アセンブリーが、前記複数のメディカルモニターの一つである患者付添アセンブリーモニターを有することを特徴とする請求項２３から３１のいずれかに記載の患者付添アセンブリー。
【請求項３３】
少なくとも一つの患者の特徴をモニターする少なくとも一つのメディカルセンサーと、
それぞれがモニターワイヤレストランシーバーとメディカル情報ディスプレイを有し、前記モニターワイヤレストランシーバーの電源が前記メディカル情報ディスプレイの電源でもある、複数のメディカルモニターを有することを特徴とするオペレーター制御メディカルモニタリングシステム。
【請求項３４】
前記複数のメディカルモニターがそれぞれ、前記電力を少なくとも一つの前記モニターワイヤレストランシーバーと、他のセンサーソケットに結合した電気回路に供給する、少なくとも一つのセンサーソケットを備えたことを特徴とする請求項３３に記載のオペレーター制御メディカルモニタリングシステム。
【請求項３５】
少なくとも一つの患者の特徴をモニターする少なくとも一つのメディカルセンサーと、
それぞれモニターワイヤレストランシーバーとメディカル情報ディスプレイを備えた複数のメディカルモニターとを用いて、
患者付添アセンブリーワイヤレストランシーバーとメディカルモニターセレクターを含み、ワイヤレスで複数のメディカルモニターから一つを初期選択し、オペレーターが視認できるモニター選択表示をおこなう患者付添アセンブリーを用いることを特徴とする患者のオペレーター制御メディカルモニタリング方法。
【請求項３６】
前記患者付添アセンブリーが、自動的に、前記少なくとも一つのメディカルセンサーと前記初期的に選択された前記複数のメディカルモニターの一つとの通信を、オペレーター操作なしで、確立することを特徴とする請求項３５に記載の患者のオペレーター制御メディカルモニタリング方法。
【請求項３７】
前記患者付添アセンブリーが、前記オペレーター操作により、自動的に前記複数のメディカルモニターの他の一つを選択することを特徴とする請求項３６に記載の患者のオペレーター制御メディカルモニタリング方法。
【請求項３８】
前記少なくとも一つのメディカルセンサーの活性化を示す電気特性の変化をセンシングし、前記変化のセンシングにより前記患者付添アセンブリーの電源を入にする前記患者付添アセンブリーの一部をなすセンシング回路を用いることを特徴とする請求項３５から３７のいずれかに記載の患者のオペレーター制御メディカルモニタリング方法。
【請求項３９】
前記患者付添アセンブリーが、少なくとも一つのセンサーコネクターを少なくとも一つのモニターのソケットに挿入することにより、前記患者付添アセンブリーの電源を入にする電源制御機能を用いることを特徴とする請求項３５から３８のいずれかに記載の患者のオペレーター制御メディカルモニタリング方法。
【請求項４０】
もし設定時間内に、前記少なくとも一つのソケットにセンサーコネクターが結合されないときは、前記患者付添アセンブリーの電源を切にする電源制御機能を用いることを特徴とする請求項３９に記載の患者のオペレーター制御メディカルモニタリング方法。
【請求項４１】
前記患者付添アセンブリーが、オペレーター操作モニター選択信号を、一般的に、前記複数のメディカルモニターのうちのオペレーターの選択した一つに向けるリモートコントロールデバイスを用いた前記オペレーターの操作を用いることを特徴とする請求項３６から４０のいずれかに記載の患者のオペレーター制御メディカルモニタリング方法。
【請求項４２】
前記メディカルモニターから得られた電力を、前記モニターワイヤレストランシーバーに供給することを特徴とする請求項３５から４１のいずれかに記載の患者のオペレーター制御メディカルモニタリング方法。
【発明の詳細な説明】
【技術分野】
【０００１】
本発明は、一般的にメディカルモニタリングシステムに関し、特にワイヤレスメディカルモニタリングシステムに関する。
【背景技術】
【０００２】
次の出版物が当該技術の現状を代表すると信じられる。
【先行技術文献】
【特許文献】
【０００３】
【特許文献１】米国特許番号：5,036,869; 5,394,882; 6,093,146;6,544,173; 6,705,990; 6,749,566; 6,801,137; 6,817,979; 6,852,084; 6,840,904;6,139,503 および米国公開特許公報番号：2004/0203434。
【発明の概要】
【発明が解決しようとする課題】
【０００４】
本発明は、ワイヤレスメディカルモニタリングシステムを提供することを目的とする。
【課題を解決するための手段】
【０００５】
本発明の好ましい実施態様により、オペレーター制御メディカルモニタリングシステムが提供される。このシステムは、少なくとも一つの患者指標をモニターすることに適した少なくとも一つのメディカルセンサーと、それぞれモニターワイヤレストランシーバーとメディカル情報ディスプレイを備えた複数のメディカルモニターと、患者付添アセンブリーワイヤレストランシーバーを備えた患者付添アセンブリーと、ワイヤレスで複数のメディカルモニターのうちの一つを初期的に選択し、オペレーターが視認できるモニター選択表示を行なうメディカルモニターセレクターとを有する。
【０００６】
本発明の好ましい実施態様により、患者付添アセンブリーは、自動的に、少なくとも一つのメディカルセンサーと、初期選択された複数のメディカルモニターのうちの一つとの通信を、オペレーターの操作なしで確立する。好ましくは、患者付添アセンブリーは、自動的に、複数のメディカルモニターのうちの他の一つを選択するオペレーターの操作に反応する。さらに、少なくとも一つのメディカルセンサーは、患者付添アセンブリーワイヤレストランシーバーと通信するセンサーワイヤレストランスミッターを含む。
【０００７】
本発明の他の好ましい実施態様により、患者付添アセンブリーは、オペレーター制御メディカルモニタリングシステムの電気特性変化をセンシングするセンシング回路も備える。このシステムは、少なくとも一つのメディカルセンサーの活性化を表示し、変化をセンシングして、患者付添アセンブリーの電源を入にする。好ましくは、電気特性の変化はインピーダンス変化を含む。
【０００８】
更に他の本発明の好ましい実施態様により、患者付添アセンブリーは、少なくとも一つのメディカルセンサーインターフェースサブユニットも備える。好ましくは、少なくとも一つのメディカルセンサーインターフェースサブユニットは、圧力センサーインターフェースサブユニット、ＥＣＧセンサーインターフェースサブユニット、ＳＰＯ２センサーインターフェースサブユニット、温度センサーインターフェースサブユニット、血液化学センサーインターフェースサブユニット、呼吸パラメーターセンサーインターフェースサブユニットのうちの少なくとも一つを含む。
【０００９】
更に他の本発明の好ましい実施態様により、圧力センサーインターフェースサブユニットは、それぞれメディカル圧力センサーに結合する複数の圧力センサーコネクター、それぞれ複数の圧力センサーコネクターの一つと結合する複数の圧力入力チャンネルインターフェースを含む。それぞれの圧力入力チャンネルインターフェースは、アンプとフィルターと、少なくとも一つのＡ／Ｄコンバーターを含む。Ａ／Ｄコンバーターは、複数の圧力入力チャンネルインターフェースからのアナログ圧力センサー信号をデジタル圧力センサー信号に変換し、圧力センサー入力プロセッサーは、デジタル圧力センサー信号をデジタルワイヤレス通信に適合させ、デジタル圧力センサー信号を患者付添アセンブリーワイヤレストランシーバーに供給する。
【００１０】
好ましくは、ＥＣＧセンサーインターフェースサブユニットは、それぞれの複数のチャンネルがＥＣＧ電極に結合される複数のチャンネルを含むマルチチャンネルＥＣＧセンサーコネクターを含む。ＥＣＧ入力インターフェースはマルチチャンネルＥＣＧセンサーコネクターに結合し、アンプとフィルターと、少なくとも一つのＡ／Ｄコンバーターを有する。Ａ／Ｄコンバーターは、ＥＣＧ入力チャンネルインターフェースからのアナログＥＣＧ信号をデジタルＥＣＧ信号に変換する。ＥＣＧ入力プロセッサーは、デジタルＥＣＧ信号をデジタルワイヤレス通信に適合させ、デジタルＥＣＧ信号を患者付添アセンブリーワイヤレストランシーバーに供給する。
【００１１】
本発明のさらに好ましい実施態様により、ＳＰＯ２センサーインターフェースサブユニットは、ＳＰＯ２センサーに結合するＳＰＯ２センサーコネクターと、ＳＰＯ２センサーコネクターと結合しアンプとフィルターとＡ／Ｄコンバーターを含むＳＰＯ２入力チャンネルインターフェースとを有する。Ａ／Ｄコンバーターは、ＳＰＯ２入力チャンネルインターフェースからのアナログＳＰＯ２センサー信号を、デジタルＳＰＯ２センサー信号に変換する。ＳＰＯ２入力プロセッサーは、デジタルＳＰＯ２センサー信号をデジタルワイヤレス通信に適合させ、デジタルＳＰＯ２センサー信号を患者付添アセンブリーワイヤレストランシーバーに供給する。
【００１２】
本発明のさらに他の好ましい実施態様により、温度センサーインターフェースサブユニットは、温度センサーと結合する温度センサーコネクターと、温度センサーコネクターと結合しアンプとフィルターとＡ／Ｄコンバーターを含む温度入力チャンネルインターフェースとを有する。Ａ／Ｄコンバーターは、温度入力チャンネルインターフェースからのアナログ温度センサー信号をデジタル温度センサー信号に変換する。温度入力プロセッサーは、デジタル温度センサー信号をデジタルワイヤレス通信に適合させ、デジタル温度センサー信号を患者付添アセンブリーワイヤレストランシーバーに供給する。
【００１３】
好ましくは、血液化学センサーインターフェースサブユニットは、少なくとも一つの血液化学センサーと結合する少なくとも一つの血液化学センサーコネクターと、少なくとも一つの血液化学センサーコネクターと結合しアンプとフィルターとＡ／Ｄコンバーターを含む少なくとも一つの血液化学入力チャンネルインターフェースとを有する。Ａ／Ｄコンバーターは、血液化学入力チャンネルインターフェースからのアナログ血液化学センサー信号を、デジタル血液化学センサー信号に変換する。血液化学入力プロセッサーは、デジタル血液化学センサー信号をデジタルワイヤレス通信に適合させ、デジタル血液化学センサー信号を患者付添アセンブリーワイヤレストランシーバーに供給する。
【００１４】
本発明のさらに好ましい実施態様により、呼吸パラメーターセンサーインターフェースサブユニットは、少なくとも一つの呼吸パラメーターセンサーに結合する少なくとも一つの呼吸パラメーターセンサーコネクターと、少なくとも一つの呼吸パラメーターセンサーコネクターと結合しアンプとフィルターとＡ／Ｄコンバーターを含む少なくとも一つの呼吸パラメーター入力チャンネルインターフェースとを有する。Ａ／Ｄコンバーターは、呼吸パラメーター入力チャンネルインターフェースからのアナログ呼吸パラメーターセンサー信号をデジタル呼吸パラメーターセンサー信号に変換する。呼吸パラメーター入力プロセッサーは、デジタル呼吸パラメーターセンサー信号をデジタルワイヤレス通信に適合させ、デジタル呼吸パラメーターセンサー信号を患者付添アセンブリーワイヤレストランシーバーに供給する。
【００１５】
本発明の付加的な好ましい実施態様により、患者付添アセンブリーは、少なくとも一つのメディカルセンサーインターフェースサブユニットの動作を制御するコントローラーと、コントローラーの動作を制御する上で有用なオペレーターによる入力操作に適したマン−マシーンインターフェースとを備える。好ましくは、患者付添アセンブリーは、少なくとも一つのメディカルセンサーに付随した少なくとも一つの対応するセンサーコネクターを受ける少なくとも一つのソケットと、少なくとも一つのセンサーコネクターを少なくとも一つのソケットに挿入して、患者付添アセンブリーの電源を入れる電力制御機能とを有する。さらに、電力制御機能は、もし設定時間内に少なくとも一つのソケットのどれにもコネクターが接続されなければ、患者付添アセンブリーの電力を切にする。
【００１６】
本発明の他の好ましい実施態様によると、メディカルモニターセレクターは、リモートコントロールデバイスを含む。リモートコントロールデバイスはオペレーターの操作に応じて、オペレーターの意図するモニターの選択信号を、通常、複数のメディカルモニターからオペレーターの選んだ一つに方向付ける。好ましくは、患者付添アセンブリーは、複数のメディカルモニターの一つである患者付添アセンブリーモニターを有する。さらに、少なくとも一つのメディカルセンサーが、圧力センサー、温度センサー、ＥＣＧセンサー、ＳＰＯ２センサー、血液化学センサー、呼吸パラメーターセンサーのうちの少なくとも一つを含む。好ましくは、圧力センサーは、少なくとも一つの頭蓋内圧センサーと、動脈圧センサーと、静脈圧センサーとを含む。
【００１７】
本発明のさらに他の好ましい実施態様によれば、複数のメディカルモニターは、それぞれ、少なくとも一つのセンサーソケットを有する。センサーソケットは、メディカルモニターからの電力を、少なくとも一つのモニターワイヤレストランシーバーと、他のセンサーソケットに結合した電気回路に供給する。
【００１８】
本発明の他の好ましい実施態様によれば、オペレーター制御メディカルモニタリングシステムにおいて有用な、少なくとも一つの患者指標をモニターすることに適した少なくとも一つのメディカルセンサーと、それぞれモニターワイヤレストランシーバーとメディカル情報ディスプレイを備えた複数のメディカルモニターと、患者付添アセンブリーワイヤレストランシーバーと、ワイヤレスで初期的に複数のメディカルモニターの一つを選択し、オペレーターが視認できるモニター選択表示を供給するメディカルモニターセレクターとを含む患者付添アセンブリーを提供する。
【００１９】
本発明の好ましい実施態様により、患者付添アセンブリーは自動的に、少なくとも一つのメディカルセンサーと、初期選択された複数のメディカルモニターのうちの一つとの通信を、オペレーターの操作なく、確立する。好ましくは、患者付添アセンブリーは、自動的に、複数のメディカルモニターの他の一つを選択するオペレーターの操作に反応する。さらに、患者付添アセンブリーは、オペレーター制御メディカルモニタリングシステムの電気特性の変化をセンシングするセンシング回路を含む。オペレーター制御メディカルモニタリングシステムは、少なくとも一つのメディカルセンサーの活性化を表示し、変化をセンシングして患者付添アセンブリーの電源を入れる。
【００２０】
本発明の他の好ましい実施態様により、患者付添アセンブリーは、少なくとも一つのメディカルセンサーインターフェースサブユニットも含む。メディカルセンサーインターフェースサブユニットは、圧力センサーインターフェースサブユニット、ＥＣＧセンサーインターフェースサブユニット、ＳＰＯ２センサーインターフェースサブユニット、温度センサーインターフェースサブユニット、血液化学センサーインターフェースサブユニット、呼吸パラメーターセンサーインターフェースサブユニットのうちの少なくとも一つを含む。好ましくは、患者付添アセンブリーはコントローラーを含む。コントローラーは、少なくとも一つのメディカルセンサーインターフェースサブユニットと、オペレーターによりコントローラーの動作を制御するのに有用な入力がなされるマン−マシーンインターフェースの動作を制御する。
【００２１】
本発明のさらに他の好ましい実施態様により、患者付添アセンブリーは少なくとも一つのソケットを含む。ソケットは、少なくとも一つのメディカルセンサーに付随した少なくとも一つの対応するセンサーコネクターを受ける。患者付添アセンブリーは、少なくとも一つのソケットに少なくとも一つのセンサーコネクターを挿入すると、患者付添アセンブリーの電源を入にする電力制御機能を有する。好ましくは、電力制御機能は、もしセンサーコネクターが少なくとも一つのソケットに設定時間内に挿入されないと、患者付添アセンブリーの電源を切にする。
【００２２】
本発明のさらに他の好ましい実施態様により、メディカルモニターセレクターは、リモートコントロールデバイスを有する。リモートコントロールデバイスは、オペレーターの操作に応じて、オペレーターのモニター選択信号を、通常、オペレーターの選択する複数のモニターのうちの一つに方向付ける。好ましくは、患者付添アセンブリーは、複数のメディカルモニターのうちの一つである患者付添アセンブリーモニターを有する。
【００２３】
本発明のさらに他の好ましい実施態様により、オペレーター制御メディカルモニタリングシステムは、少なくとも一つの患者指標をモニターする少なくとも一つのメディカルセンサーと、患者付添アセンブリーワイヤレストランシーバーを含む患者付添アセンブリーと、複数のメディカルモニターとを含む。メディカルモニターは、それぞれ、モニターワイヤレストランシーバーとメディカル情報ディスプレイを含み、モニターワイヤレストランシーバーはメディカル情報ディスプレイの電源を入にする電源により入にされる。
【００２４】
本発明の好ましい実施態様により、複数のメディカルモニターは、それぞれ少なくとも一つのソケットを有する。ソケットは、電力を少なくとも一つのモニターワイヤレストランシーバーと、他のセンサーソケットに結合した電気回路に、供給する。
【００２５】
本発明の他の好ましい実施態様により、患者のオペレーター制御メディカルモニタリング方法が提供される。この方法は、少なくとも一つの患者指標をモニターする少なくとも一つのメディカルセンサーと、それぞれモニターワイヤレストランシーバーとメディカル情報ディスプレイを備えた複数のメディカルモニターとを用いる。また、この方法は、患者付添アセンブリーワイヤレストランシーバーとメディカルモニターセレクターとを備えた患者付添アセンブリーを用いる。患者付添アセンブリーは、ワイヤレスで初期的に複数のメディカルモニターの一つを選択し、オペレーターが視認できるモニター選択表示を示す。
【００２６】
本発明の好ましい実施態様により、上記の方法は、少なくとも一つのメディカルセンサーと初期選択された複数のメディカルモニターの一つとの間の通信を、オペレーターの操作なく確立する患者付添アセンブリーを用いる。好ましくは、この方法は、オペレーターの操作により、自動的に複数のメディカルモニターの他の一つを選択する患者付添アセンブリーを用いる。さらに、この方法は、患者付添アセンブリーの一部をなすセンシング回路を用いる。センシング回路は、少なくとも一つのメディカルセンサーの活性化を表示する電気特性の変化をセンシングし、変化に対応して患者付添アセンブリーの電源を入にする。
【００２７】
本発明の他の好ましい実施態様により、患者付添アセンブリーを用いることは、少なくとも一つのセンサーコネクターを少なくとも一つのモニターソケットに挿入することにより、患者付添アセンブリーの電源を入にする電力制御機能を用いることを含む。好ましくは、この方法は、患者付添アセンブリーの電源を、もしセンサーコネクターが少なくとも一つのソケットに設定時間内に全く挿入されないと、切にする。
【００２８】
本発明の他の好ましい実施態様により、患者付添アセンブリーを用いることは、リモートコントロールデバイスを用いることを含む。リモートコントロールデバイスは、オペレーター操作のモニター選択信号を、通常、オペレーター選択の複数のメディカルモニターの一つに、オペレーターの操作により方向付けられる。好ましくは、この方法は、メディカルモニターからの電力を、モニターワイヤレストランシーバーに供給する。
【００２９】
本発明は、図面を参照して、以下の詳細な説明から、より完全に理解、判断される。
【発明の効果】
【００３０】
本発明の好ましい実施態様により、オペレーター制御メディカルモニタリングシステムが提供される。
【図面の簡単な説明】
【００３１】
【図１】図１Ａと１Ｂは、一連で、本発明の好ましい実施態様による、オペレーター制御メディカルモニタリングシステムの動作の単純化した説明図である。
【図２】図１Ａと１Ｂは、一連で、本発明の好ましい実施態様による、オペレーター制御メディカルモニタリングシステムの動作の単純化した説明図である。
【図３】図２Ａ、２Ｂ、２Ｃは、一連で、図１Ａと１Ｂのオペレーター制御メディカルモニタリングシステムに有用な、患者付添アセンブリーの単純化したブロック図である。
【図４】図２Ａ、２Ｂ、２Ｃは、一連で、図１Ａと１Ｂのオペレーター制御メディカルモニタリングシステムに有用な、患者付添アセンブリーの単純化したブロック図である。
【図５】図２Ａ、２Ｂ、２Ｃは、一連で、図１Ａと１Ｂのオペレーター制御メディカルモニタリングシステムに有用な、患者付添アセンブリーの単純化したブロック図である。
【図６】図３Ａ、３Ｂは、一連で、図１Ａと１Ｂのオペレーター制御メディカルモニタリングシステムに有用な、モニターインターフェースアセンブリーの単純化したブロック図である。
【図７】図３Ａ、３Ｂは、一連で、図１Ａと１Ｂのオペレーター制御メディカルモニタリングシステムに有用な、モニターインターフェースアセンブリーの単純化したブロック図である。
【図８】図４は、図１Ａ−２Ｃのオペレーター制御メディカルモニタリングシステムの単純化した説明図である。
【図９】図５は、図１Ａ−４のシステム動作の単純化したフローチャートである。
【図１０】図６Ａと６Ｂは、一連で、本発明の好ましい実施態様による、オペレーター制御メディカルモニタリングシステムの動作の単純化した説明図である。
【図１１】図６Ａと６Ｂは、一連で、本発明の好ましい実施態様による、オペレーター制御メディカルモニタリングシステムの動作の単純化した説明図である。
【図１２】図７Ａ、７Ｂ、７Ｃは、一連で、図６Ａと６Ｂのオペレーター制御メディカルモニタリングシステムに有用な、患者付添アセンブリーの単純化したブロック図である。
【図１３】図７Ａ、７Ｂ、７Ｃは、一連で、図６Ａと６Ｂのオペレーター制御メディカルモニタリングシステムに有用な、患者付添アセンブリーの単純化したブロック図である。
【図１４】図７Ａ、７Ｂ、７Ｃは、一連で、図６Ａと６Ｂのオペレーター制御メディカルモニタリングシステムに有用な、患者付添アセンブリーの単純化したブロック図である。
【図１５】図８Ａ、８Ｂは、一連で、図６Ａと６Ｂのオペレーター制御メディカルモニタリングシステムに有用な、モニターインターフェースアセンブリーの単純化したブロック図である。
【図１６】図８Ａ、８Ｂは、一連で、図６Ａと６Ｂのオペレーター制御メディカルモニタリングシステムに有用な、モニターインターフェースアセンブリーの単純化したブロック図である。
【図１７】図９は、図６Ａ−７Ｃの患者付添アセンブリーの単純化した説明図である。
【図１８】図１０は、図６Ａ−９のシステム動作の単純化したフローチャートである。
【図１９】図１１Ａと１１Ｂは、一連で、本発明の他の好ましい実施態様による、オペレーター制御メディカルモニタリングシステムの動作の単純化した説明図である。
【図２０】図１１Ａと１１Ｂは、一連で、本発明の他の好ましい実施態様による、オペレーター制御メディカルモニタリングシステムの動作の単純化した説明図である。
【図２１】図１２Ａ、１２Ｂ、１２Ｃは、一連で、図１１Ａと１１Ｂのオペレーター制御メディカルモニタリングシステムに有用な、患者付添アセンブリーの単純化したブロック図である。
【図２２】図１２Ａ、１２Ｂ、１２Ｃは、一連で、図１１Ａと１１Ｂのオペレーター制御メディカルモニタリングシステムに有用な、患者付添アセンブリーの単純化したブロック図である。
【図２３】図１２Ａ、１２Ｂ、１２Ｃは、一連で、図１１Ａと１１Ｂのオペレーター制御メディカルモニタリングシステムに有用な、患者付添アセンブリーの単純化したブロック図である。
【図２４】図１３Ａ、１３Ｂは、一連で、図１１Ａと１１Ｂのオペレーター制御メディカルモニタリングシステムに有用な、モニターインターフェースアセンブリーの単純化したブロック図である。
【図２５】図１３Ａ、１３Ｂは、一連で、図１１Ａと１１Ｂのオペレーター制御メディカルモニタリングシステムに有用な、モニターインターフェースアセンブリーの単純化したブロック図である。
【図２６】図１４は、図１１Ａ−１２Ｃの患者付添アセンブリーの単純化した説明図である。
【図２７】図１５は、図１１Ａ−１４のシステム動作の単純化したフローチャートである。
【発明を実施するための形態】
【００３２】
一連の図である図１Ａと１Ｂについて説明するが、この図は、本発明の好ましい実施態様により構成され機能する、オペレーター制御のメディカルモニタリングシステムの動作の単純化された図である。図１Ａと１Ｂのように、オペレーターに制御されたメディカルモニタリングシステムは、患者の指標をモニターするのに適したメディカルセンサー、それぞれワイヤレスレシーバーとメディカル情報出力デバイスを有する複数のメディカルモニター、複数のメディカルモニターのうちの一つを選択し、メディカルセンサーと複数のメディカルモニターの内の選択された一つとの間の通信をする、オペレーター制御のメディカルモニターセレクターを備えた患者付添アセンブリーを含む。
【００３３】
図１Ａの段階Ａに、典型的な手術室環境にいる患者が見られる。本発明の好ましい実施態様に従い、患者は患者付添アセンブリー１００と結合される。患者付添アセンブリー１００は、オペレーターにより複数のメディカルモニターのうちの一つ、例えば従来のメディカルモニター１０２を選択するメディカルモニターセレクターを含む。患者付添アセンブリー１００は、メディカルセンシングデバイス、例えば患者に付けられた血圧センサー１０４と、選択されたメディカルモニターとの通信を、好ましくは、メディカルモニター１０２に付属したワイヤレスレシーバー１０６を通して、確立する。図１Ａに示された実施態様では、センサー１０４と患者付添アセンブリー１００とが有線結合されているが、ワイヤレス結合でもよい。好ましくは、患者付添アセンブリー１００とメディカルモニター１０２との結合はワイヤレスであり、好ましくは、患者付添アセンブリー１００の一部をなしワイヤレスレシーバー１０６と通信するトランスミッター１０８を用いる。
【００３４】
メディカルセンサーは、図１Ａに示したように患者に装着されるか、または、患者に結合される。患者に結合され、患者付添アセンブリー１００に装備されるメディカルセンサーデバイスの例は、生理学的血圧センサーである。図１Ａは、患者付添アセンブリー１００の複数の結合ソケット１１０のひとつに、センサー１０４を結合するオペレーターを示す。好ましくは、メディカルセンシングデバイスの結合により患者付添アセンブリー１００の電源が入る。
【００３５】
段階Ｂでは、患者は段階Ａに示された同じ位置で手術中である。モニター１０２が、センサー１０４のようなメディカルセンシングデバイスから、患者付添アセンブリー１００、トランスミッター１０８、レシーバー１０６を通して受信した種々の患者パラメーターを表示していることが見られる。
【００３６】
段階Ｂに続く段階Ｃでは、患者は他の位置に移動する準備中で、従来のポータブルモニター１１２が、好ましくはワイヤレスレシーバー１１４を伴って、導入される。オペレーターは、患者付添アセンブリー１００とポータブルモニター１１２との間の通信を、代表的には患者付添アセンブリー１００のＮＥＸＴボタンを押して、初期化する。初期化は、代表的には患者パラメーターをポータブルモニター１１２上に、図示のように表示させると同時に、モニター１０２上の患者パラメーターを消去する。
【００３７】
図１Ｂに示すように、段階Ｄでは、患者はＩＣＵないし他の回復室に移動するが、患者パラメーターを引き続き表示中のポータブルモニター１１２にまだ結合されている。
【００３８】
段階Ｅでは、複数の壁掛けモニターの一つの初期選択が示されている。選択は、オペレーターが患者付添アセンブリー１００のＮＥＸＴボタン１１６を押すことで実行される。選択により、患者パラメーターは選択された壁掛けモニター１１８に表示され、好ましくは同時にポータブルモニター１１２の患者パラメーターが消去される。
【００３９】
複数の壁掛けモニターが患者付添アセンブリー１００と通信可能であるとき、壁掛けモニターの選択は、好ましくは患者付添アセンブリー１００にて、最大のワイヤレス信号を得たことに基づく。段階Ｅにおいて、壁掛けモニター１１８はオペレーターが用いようとした壁掛けモニターではない。従って、本発明の好ましい実施態様に従い、段階Ｆに示すように、オペレーターは他の壁掛けモニターを、患者付添アセンブリー１００のＮＥＸＴボタン１１６を押して、選択することができる。好ましくはこれにより、患者パラメーターは、二番目に信号の強い壁掛けモニター１２０に表示され、好ましくは、同時に患者パラメーターは壁掛けモニター１１８から消去される。このとき、オペレーターはＯＫボタン１２２を押してモニター選択を確定する。あるいは、オペレーターが患者付添アセンブリー１００のボタンに触らないと、所定時間の後にモニター選択は自動的に確定する。
【００４０】
もし段階Ｅにて、初めに選択した壁掛けモニター１１８が、オペレーターが用いるつもりの壁掛けモニターならば、オペレーターはＯＫボタン１２２を押して、モニター選択を確定することができる。
【００４１】
一連の図２Ａ、２Ｂ、２Ｃを説明するが、これらは図１Ａ、１Ｂの、オペレーター制御メディカルモニタリングシステムにおいて有用な患者付添アセンブリー１００の、単純化したブロックダイアグラムを形成する。図２Ａ−２Ｃに示すように、患者付添アセンブリーは複数のメディカルセンサーインターフェースサブユニットを含む。第１のメディカルセンサーインターフェースサブユニット１５０は、好ましくは圧力センサー、例えば頭蓋内圧センサー、動脈圧センサー、静脈圧センサーからの入力を処理する。代表的には、インターフェースサブユニット１５０は、コネクター１１０（図１Ａ、１Ｂ）のように、５個の圧力センサーコネクター１５２を備え、それぞれが独立した圧力センサーと結合し、圧力入力チャンネルインターフェース１５４と繋がれ、代表的にはアンプとフィルターを備える。圧力入力チャンネルインターフェース１５４の出力は、好ましくはＡ／Ｄコンバーター１５６とマルチプレクサー１５８とを介して、圧力センサー入力プロセッサー１６０に供給され、圧力センサー入力プロセッサー１６０は信号をデジタルワイヤレス通信に適合させ、それをワイヤレストランシーバー１６４を含むデジタルワイヤレス通信サブシステム１６２に供給する。
【００４２】
図２Ｂにおいて、患者付添アセンブリー１００は、好ましくは複数のＥＣＧ電極からの入力を処理する、第２のメディカルセンサーインターフェースサブユニット１７０を含む。代表的には、メディカルセンサーインターフェースサブユニット１７０は複数のチャンネルを持ち、それぞれがＥＣＧ入力チャンネルインターフェース１７４と結合され、代表的にはアンプとフィルターを含む、一つのマルチチャンネルＥＣＧコネクター１７２を含む。ＥＣＧ入力チャンネルインターフェース１７４からの出力信号は、好ましくはＡ／Ｄコンバーター１７６とマルチプレクサー１７８を介してＥＣＧ入力プロセッサー１８０に供給され、ＥＣＧ入力プロセッサー１８０は信号をデジタルワイヤレス通信に適合させ、それをデジタルワイヤレス通信サブシステム１６２に供給する。
【００４３】
第３のメディカルセンサーインターフェースサブユニット１９０は、好ましくはＳＰＯ２センサーからの入力を処理する。代表的には、メディカルセンサーインターフェースサブユニット１９０は、ＳＰＯ２入力チャンネルインターフェース１９４に結合した単一のＳＰＯ２コネクター１９２を含み、代表的にはアンプとフィルターを含む。ＳＰＯ２入力チャンネルインターフェース１９４からの出力信号は、好ましくはＡ／Ｄコンバーター１９６を通してＳＰＯ２入力プロセッサー１９８に供給され、ＳＰＯ２入力プロセッサー１９８は信号をデジタルワイヤレス通信に適合させ、それをデジタルワイヤレス通信サブシステム１６２に供給する。
【００４４】
第４のメディカルセンサーインターフェースサブユニット２００は、好ましくは温度センサーからの入力を処理する。代表的には、メディカルセンサーインターフェースサブユニット２００は、温度入力チャンネルインターフェース２０４と結合した単独の温度コネクター２０２を含み、代表的には、アンプとフィルターを含む。温度入力チャンネルインターフェース２０４からの出力信号は、好ましくはＡ／Ｄコンバーター２０６を通してＳＰＯ２入力プロセッサー１９８に供給され、ＳＰＯ２入力プロセッサー１９８は信号をデジタルワイヤレス通信に適合させ、それをデジタルワイヤレス通信サブシステム１６２に供給する。
【００４５】
図２Ｃに示すように、患者付添アセンブリー１００は第５のメディカルセンサーインターフェースサブユニット２１０を含み、第５のメディカルセンサーインターフェースサブユニット２１０は、好ましくは血液化学センサーからの入力を処理する。代表的には、メディカルセンサーインターフェースサブユニット２１０は、少なくとも一つの血液化学コネクター２１２を含み、血液化学コネクター２１２は少なくとも一つの血液化学入力チャンネルインターフェース２１４と結合され、代表的には、アンプとフィルターを含む。各血液化学入力チャンネルインターフェース２１４からの出力信号は、好ましくはＡ／Ｄコンバーター２１６を通して血液化学入力プロセッサー２１８に供給され、血液化学入力プロセッサー２１８は信号をデジタルワイヤレス通信に適合させ、それをデジタルワイヤレス通信サブシステム１６２に供給する。
【００４６】
第６のメディカルセンサーインターフェースサブユニット２２０は、好ましくは呼吸パラメーターセンサーからの入力を処理する。代表的には、メディカルセンサーインターフェースサブユニット２２０は、少なくとも一つの呼吸パラメーターコネクター２２２を含み、呼吸パラメーターコネクター２２２は少なくとも一つの呼吸パラメーター入力チャンネルインターフェース２２４と結合され、代表的には、アンプとフィルターを含む。各呼吸パラメーター入力チャンネルインターフェース２２４からの出力信号は、好ましくはＡ／Ｄコンバーター２２６を通して呼吸パラメーター入力プロセッサー２２８に供給され、呼吸パラメーター入力プロセッサー２２８は信号をデジタルワイヤレス通信に適合させ、それをデジタルワイヤレス通信サブシステム１６２に供給する。
【００４７】
任意の適切なメディカルセンサーが、適切なメディカルセンサーインターフェースユニットを備えたとき、患者付添アセンブリー１００を用いて、選択可能なモニターと結合できる。
【００４８】
代表的には、ＮＥＸＴボタン１１６とＯＫボタン１２２を含む、適切なマン−マシンインターフェース２３０は、コントローラー２３２の動作を制御し、コントローラー２３２は患者付添アセンブリー１００の種々の要素の動作を制御する。
【００４９】
一連の図３Ａ、３Ｂを説明するが、これらは図１Ａ、１Ｂのオペレーター制御メディカルモニタリングシステムに有用な、モニターインターフェースアセンブリーの単純ブロック図を形成する。図３Ａ、３Ｂに示すように、モニターインターフェースアセンブリーは、複数のモニターインターフェースサブユニットを含む。第１の圧力モニターインターフェースサブユニット２５０は、好ましくは従来の圧力センサーソケットに結合するように適合し、圧力センサーソケットは代表的には、低圧電力を供給する。
【００５０】
モニターインターフェースサブユニット２５０は、好ましくはデジタルワイヤレス通信サブシステム２５２を含み、デジタルワイヤレス通信サブシステム２５２はワイヤレストランシーバー２５４を含み、ワイヤレストランシーバー２５４は患者付添アセンブリー１００のワイヤレストランシーバー１６４からのワイヤレス伝送を受信するのに最適で、受信伝送を処理して、対応するモニターインターフェースサブユニットに送る。
【００５１】
モニターインターフェースサブユニット２５０と、代表的には４個の、追加された圧力モニターインターフェースサブユニット２６２、２６４、２６６、２６８は、好ましくは、それぞれ、モニターの独立した圧力センサーソケットに結合するプラグコネクター（図示しない）を有する。各モニターインターフェースサブユニット２５０、２６２、２６４、２６６、２６８は、代表的には、アンプ、フィルター、Ｄ／Ａコンバーターを含み、Ｄ／Ａコンバーターは、プロセッサーを介してデジタルワイヤレス通信サブシステム２５２により送信され受信された伝送の各部分を受信する。モニターインターフェースサブユニット２５０、２６２、２６４、２６６、２６８の出力は、好ましくはモニターの対応する圧力センサーソケットに、モニターの従来の動作に適するような従来の形式で、供給される。
【００５２】
デジタルワイヤレス通信サブシステム２５２が、モニターの複数の圧力センサーソケットから電力を供給されるのが、本発明の特徴である。また、モニターインターフェースサブユニット２５０、２６２、２６４、２６６、２６８が、他の各種モニターインターフェースサブユニットに電力を供給し、サブユニットのいくつかは電力を供給しないモニターソケットに結合していることが本発明の他の特徴である。
【００５３】
図３Ｂでは、モニターインターフェースアセンブリーは、付加的にＥＣＧモニターインターフェースサブユニット２７０を含み、ＥＣＧモニターインターフェースサブユニット２７０は、好ましくはモニターのＥＣＧソケットに適合するマルチチャンネルプラグコネクター（図示しない）を含む。ＥＣＧモニターインターフェースサブユニット２７０は、代表的には、マルチプルアンプ、フィルター、Ｄ／Ａコンバーターを含み、Ｄ／Ａコンバーターは、少なくとも一つのプロセッサーを介して、デジタルワイヤレス通信サブシステム２５２により送信された、ＥＣＧセンシングに関係した受信伝送を受信する。モニターインターフェースサブユニット２７０の出力は、好ましくは、モニターの対応するＥＣＧソケットに、従来のモニター動作に適した従来の形式で、供給される。
【００５４】
ＳＰＯ２モニターインターフェースサブユニット２７２は、好ましくはモニターのＳＰＯ２センサーソケットに適合したプラグコネクター（図示しない）を備える。モニターインターフェースサブユニット２７２は、代表的には、アンプ、フィルター、Ｄ／Ａコンバーターを含み、Ｄ／Ａコンバーターは、プロセッサーを介してデジタルワイヤレス通信サブシステム２５２により方向付けされたＳＰＯ２センシングに関係した受信伝送を受信する。モニターインターフェースサブユニット２７２の出力は、好ましくはモニターの対応するＳＰＯ２センサーソケットに、モニターの従来の動作に適する従来の形式で、供給される。
【００５５】
温度モニターインターフェースサブユニット２７４は、好ましくはモニターの温度センサーソケットに適合したプラグコネクター（図示しない）を備える。モニターインターフェースサブユニット２７４は、代表的には、アンプ、フィルター、Ｄ／Ａコンバーターを含み、Ｄ／Ａコンバーターは、プロセッサーを介してデジタルワイヤレス通信サブシステム２５２により送信された温度センシングに関係した受信伝送を受信する。モニターインターフェースサブユニット２７４の出力は、好ましくはモニターの対応する温度センサーソケットに、モニターの従来の動作に適するような、従来の形式で供給される。
【００５６】
血液化学モニターインターフェースサブユニット２７６は、好ましくは、モニターの血液化学センサーソケットに適合した、少なくとも一つのプラグコネクター（図示しない）を備える。モニターインターフェースサブユニット２７６は、代表的には、少なくとも一つのアンプ、少なくとも一つのフィルター、少なくとも一つのＤ／Ａコンバーターを含み、これらはプロセッサーを介してデジタルワイヤレス通信サブシステム２５２により送信された血液化学センシングに関係した受信伝送を受信する。モニターインターフェースサブユニット２７６の出力は、好ましくはモニターの対応する血液化学センサーソケットに、モニターの従来の動作に適するような従来の形式で供給される。
【００５７】
呼吸パラメーターモニターインターフェースサブユニット２７８は、好ましくは、モニターの呼吸パラメーターソケットに適合した、少なくとも一つのプラグコネクター（図示しない）を備える。モニターインターフェースサブユニット２７８は、代表的には、少なくとも一つのアンプ、少なくとも一つのフィルター、少なくとも一つのＤ／Ａコンバーターを含み、Ｄ／Ａコンバーターは、少なくとも一つのプロセッサーを介してデジタルワイヤレス通信サブシステム２５２により送信された呼吸パラメーターセンシングに関係した受信伝送を受信する。モニターインターフェースサブユニット２７８の出力は、好ましくはモニターの対応する呼吸パラメーターセンサーソケットに、モニターの従来の動作に適するような従来の形式で供給される。
【００５８】
適切なマン−マシーンインターフェース２９０がコントローラー２９２の動作を制御し、コントローラー２９２はモニターインターフェースアセンブリーの種々の要素の動作を制御する。コントローラー２９２はモニターインターフェースサブユニット２５０の一部をなすこともある。
【００５９】
図４について説明するが、これは図１Ａ−２Ｃの患者付添アセンブリー１００の単純化された説明図である。図４に示すように、患者付添アセンブリー１００は、好ましくは前方部３０２と後方部３０４からなるハウジング３００からなり、ハウジング３００は好ましくは図２Ａ−２Ｃの装置を囲んでいる。ハウジング３００の下端には、複数の圧力変換結合ソケット１１０、好ましくは５個のソケット１１０、例えば米国、ペンシルバニア、グレンロックのベル−フューズから市販されているＲＪ１１雌モジュラージャックが装備されている。各ソケット１１０は、好ましくは適切な圧力センサーコネクター（図示しない）を有し、これらは圧力入力チャンネルインターフェース１５４（図２Ａ−２Ｃ）と結合する。前面パネル３０８は、好ましくは複数の圧力変換装着ソケット３１０、好ましくは５個のソケット３１０の範囲を限定するため、装着アタッチメントの突起部を配列し、ソケット３１０は、従来の血圧変換アセンブリー３１２を着脱可能に支持し、各々は、トランスパックＩＴのようなコネクター３１３を含む。トランスパックＩＴは、カタログ名称を「完全統合使い捨て血液圧力変換装置」といい、イスラエル、キブツ  バラムのエルカムメディカルＡ．Ｃ．Ａ．Ｌから市販されている。
【００６０】
ハウジング３００の側壁３１６の凹部３１４に、好ましくはＳＰＯ２コネクターソケット３２０、例えばＤ型９Ｓコネクターソケットが取付られる。Ｄ型９Ｓコネクターソケットは、米国、イリノイのモレックス社から市販されており、好ましくは、ＳＰＯ２入力チャンネルインターフェース１９４（図２Ａ−２Ｃ）と結合する適切なＳＰＯ２センサーコネクター（図示しない）を含む。凹部３１４に、従来の雌Ｄ型１５Ｓコネクターソケットのような、ＥＣＧセンサーソケットが備えられる。雌Ｄ型１５Ｓコネクターソケットは、米国、イリノイのモレックス社から市販されており、好ましくは、ＥＣＧ入力チャンネルインターフェース１７４（図２Ａ−２Ｃ）と結合する適切なＥＣＧセンサーコネクター（図示しない）を含む。さらに凹部３１４に、従来の雌型ＲＳフォウンジャック１／４”ソケットのような、温度センサーソケット３２４が備えられる。雌型ＲＳフォウンジャック１／４”ソケットは、米国、イリノイ、シカゴのスイッチクラフト社から市販されており、好ましくは、温度入力チャンネルインターフェース２０４（図２Ａ−２Ｃ）と結合する適切な温度センサーコネクター（図示しない）を含む。
【００６１】
前面パネル３０８と平行して、複数の圧力チャンネル制御ボタン３２８、好ましくは５個の圧力チャンネル制御ボタン３２８を含む制御パネル３２６が設けられ、圧力チャンネル制御ボタン３２８は血圧変換アセンブリー３１２の動作を制御する。また、好ましくは制御パネル３２６に電池充電状態インジケーター３３０、図１Ａ−２Ｃで説明したＮＥＸＴボタン１１６、図１Ａ−２Ｃで説明したＯＫボタン１２２、電源ボタン３３２、音と光での警報表示３３４が設けられる。
【００６２】
図１Ａ−４の動作システムの単純化されたフローチャートである図５について説明する。図５に示すように、電源ボタン３３２（図４）が切のとき、患者付添アセンブリー１００（図１Ａ−１Ｂ）は、オペレーターが電源ボタン３３２を押すか、オペレーターが血圧変換器３１２のコネクター３１３をソケット１１０に挿入したとき、初期化される。種々のシステムチェックが、図２Ａ−２Ｃのコントローラー２３２によって、自動的に行なわれる。もし、問題が発生したときは、警報が、好ましくは音と光の警報表示３３４（図４）によって表示され、患者付添アセンブリーの電源が切られる。
【００６３】
システムチェックのとき問題がなければ、モニター１０２（図１Ａ−１Ｂ）のようなモニターの、デジタルワイヤレス通信サブシステム２５２（図３Ａ、３Ｂ）とのワイヤレス通信が試みられる。患者付添アセンブリー１００（図２Ａ−２Ｃ）のワイヤレストランシーバー１６４は、放出される信号の強さにより、付近のレシーバーをランク付けする。代表的には、設定数、好ましくは３個のレシーバーがランク付けされる。
【００６４】
次に、患者付添アセンブリー１００のデジタルワイヤレス通信サブシステム１６２により、最高ランクのモニターのデジタルワイヤレス通信サブシステム２５２とのワイヤレス通信が試みられる。通信中のモニターは、三角波のような音と光による表示を、設定時間だけ、典型的には１０秒間示すことにより、通信中であることを表示する。
【００６５】
もし、ＮＥＸＴボタン１１６（図４）を設定時間押し続けると、患者付添アセンブリー１００のデジタルワイヤレス通信サブシステム１６２により、次ランクのモニターのデジタルワイヤレス通信サブシステム２５２とのワイヤレス通信が試みられる。
【００６６】
もし、ＯＫボタン１２２（図４）を設定時間内に押すか、あるいは、患者付添アセンブリー１００の制御パネル３２６（図４）のどのボタンも設定時間内に押さないと、患者付添アセンブリーは選択されたモニターとの通信を決定する。
【００６７】
決定に続き、もしセンサーが患者付添アセンブリー１００のソケットに結合されていれば、選択されたモニターは、患者付添アセンブリー１００のトランスミッター１６４により伝送されたセンサー信号を表示する。もし、センサーが患者付添アセンブリーのソケットに結合されていなければ、患者付添アセンブリーは設定時間の間、待機状態にあり、この間にセンサーが結合されないと、患者付添アセンブリーの電源が切れる。あるいは、患者付添アセンブリー１００は、センサーが患者付添アセンブリーの適切なソケットに結合されているときのみ、モニターの一つと通信を試みる。
【００６８】
図６Ａ、６Ｂについて説明するが、これらの図は一体となって、本発明の他の好ましい実施態様により構成され機能する、オペレーター制御のメディカルモニタリングシステムの作用を単純化した説明図である。図６Ａと６Ｂのように、オペレーターに制御されたメディカルモニタリングシステムは、患者の指標をモニターするのに適したメディカルセンサー、それぞれワイヤレスレシーバーとメディカル情報出力デバイスを有する複数のメディカルモニター、複数のメディカルモニターのうちの一つを選択し、メディカルセンサーと複数のメディカルモニターの内の選択された一つとの間の通信をする、オペレーター制御のメディカルモニターセレクターを備えた患者付添アセンブリーを含む。
【００６９】
図６Ａの段階Ａには、典型的には手術室にいる患者が見られる。本発明の好ましい実施態様により、患者は、メディカルモニターセレクターを含む患者付添アセンブリー５００と結合されている。メディカルモニターセレクターは、オペレーターにより、複数のメディカルモニターから、従来のメディカルモニター５０２のような一つのモニターが選択され、血圧センサー５０４のような、患者に結合されたメディカルセンサーデバイスと、選択されたメディカルモニターとの間を、好ましくはメディカルモニター５０２に付随したワイヤレスレシーバー５０６を通して、通信が確立される。図６Ａの実施態様で、センサー５０４と患者付添アセンブリー５００との間がワイヤレス結合されている。患者付添アセンブリー５００とメディカルモニター５０２との結合はワイヤレスであって、好ましくは患者付添アセンブリー５００の一部をなすトランスミッター５０８を用いる。トランスミッター５０８はワイヤレスレシーバー５０６と通信する。図６Ａのように、患者付添アセンブリー５００はモニター５０９を付加的に含む。図６Ａのように、メディカルセンサーは患者に載せてもよいし、結合させてもよい。患者に結合され、患者付添アセンブリー５００に搭載されたメディカルセンサーの例には、生理的圧力センサーが含まれる。
【００７０】
図６Ａには、患者情報を、患者付添アセンブリー５００の、一つ以上のセンサー入力レシーバー５１０に伝達するセンサー５０４を示す。好ましくは、患者付添アセンブリーは結合回路の電気特性の変化、例えばインピーダンスの変化をセンシングする。この変化はメディカルセンサーデバイスのワイヤレス結合の結果である。電気特性の変化は、好ましくは、患者付添アセンブリー５００内の二次回路５１１でセンシングされる。二次回路５１１は常時、または通常、作動している。回路５１１でセンシングされるメディカルセンサーデバイスのワイヤレス結合は、患者付添アセンブリー５００の電源を初期化する。
【００７１】
段階Ｂでは、患者は段階Ａと同じ位置で手術中である。モニター５０２は、センサー５０４のようなメディカルセンサーデバイスから、患者付添アセンブリー５００、トランスミッター５０８、レシーバー５０６を通して、受け取った種々の患者パラメーターを表示する。段階Ｂのように、患者付添アセンブリーのモニター５０９も、センサー入力レシーバー５１０により受け取った患者パラメーターを表示する。
【００７２】
段階Ｂに続く段階Ｃでは、患者は他の位置に移動する準備中で、オペレーターは、患者付添アセンブリー５００とメディカルモニター５０２との通信を、代表的には、患者付添アセンブリー５００のＮＥＸＴボタンを押して、終えようとしている。これにより、代表的には、モニター５０９上の患者パラメーターと、好ましくは同時に、モニター５０２上の患者パラメーターは図示のように消失する。さらに、患者付添アセンブリー５００と、メディカルモニター５０２のような外部メディカルモニターとの通信が終了したとき、患者パラメーターは患者付添アセンブリーのモニター５０９に表示される。
【００７３】
患者付添アセンブリー５００とモニター５０２のような外部モニターとの通信が終了したいかなるときも、患者パラメーターは自動的にモニター５０９に表示される。患者付添アセンブリー５００が、モニター５０２のような外部モニターと通信中は、患者パラメーターは省エネルギーのため、モニター５０９に表示されない。
【００７４】
図６Ｂの段階Ｄでは、患者はＩＣＵや回復室への移動中だが、まだ、患者パラメーターを表示中のモニター５０９を含む患者付添アセンブリー５００と結合されている。
【００７５】
段階Ｅには、複数の壁掛けモニターの一つの選択が示される。選択は、オペレーターが患者付添アセンブリー５００のＮＥＸＴボタン５１６を押すことで実行される。選択により、患者パラメーターは、選択された壁掛けモニター５１８に表示され、患者付添アセンブリー５００のモニター５０９上の患者パラメーターの表示は終了する。
【００７６】
患者付添アセンブリー５００と複数の壁掛けモニターが通信可能のとき、壁掛けモニターの選択は、好ましくは、患者付添アセンブリー５００によりセンシングされた最大のワイヤレス信号に基づく。図示のように、段階Ｅの図では、壁掛けモニター５１８は、オペレーターが用いようとした壁掛けモニターと異なる。従って、本発明の好ましい実施態様により、図Ｆのように、オペレーターは、好ましくは、患者付添アセンブリー５００のＮＥＸＴボタンを押して、別の壁掛けモニターを選択できる。これにより、患者パラメーターは、２番目に信号の強い壁掛けモニター５２０に表示され、好ましくは同時に、モニター５１８上の患者パラメーターが終了する。オペレーターはモニター選択を決定するため、ＯＫボタン５２２を押す。あるいは、オペレーターが患者付添アセンブリー５００のボタンを押さないと、設定時間後に、モニター選択は自動的に決定される。
【００７７】
一連の図７Ａ、７Ｂ、７Ｃを説明するが、これは図６Ａ、６Ｂのオペレーター制御メディカルモニタリングシステムにおいて有用な、患者付添アセンブリー５００の単純化したブロック図である。図７Ａ−７Ｃのように、患者付添アセンブリー５００はメディカルセンサーインターフェースサブユニットからなる。第一のメディカルセンサーインターフェースサブユニット５５０は、好ましくは、頭蓋内圧センサー、動脈圧センサー、静脈圧センサーなどの圧力センサーからの入力を処理する。代表的には、インターフェースサブユニット５５０は、入力レシーバー５１０のような５個の圧力センサー入力レシーバー５５２を備え、各々は独立した圧力センサーからワイヤレス結合により入力を受け取り、各々は圧力入力チャンネルインターフェース５５４と結合され、代表的には、アンプとフィルターを含む。圧力入力チャンネルインターフェース５５４の出力は、好ましくは、Ａ／Ｄコンバーター５５６とマルチプレクサー５５８を通して、圧力センサー入力プロセッサー５６０に印加される。圧力センサー入力プロセッサー５６０は、信号をデジタルワイヤレス通信に適合させ、それを、ワイヤレストランシーバー５６４を含むデジタルワイヤレス通信サブシステム５６２に供給する。
【００７８】
図７Ｂにおいて、患者付添アセンブリー５００は、付加的に、好ましくは複数のＥＣＧ電極からの入力を処理する第二のメディカルセンサーインターフェースサブユニット５７０を含む。代表的には、メディカルセンサーインターフェースサブユニット５７０は、複数のチャンネルを持つ一つのマルチチャンネルＥＣＧ入力レシーバー５７２を含む。各チャンネルは、一つのＥＣＧ電極からのＥＣＧ入力をワイヤレス結合を通して受け取り、典型的にはアンプとフィルターを含むＥＣＧ入力チャンネルインターフェース５７４に繋がる。ＥＣＧ入力チャンネルインターフェース５７４の出力信号は、好ましくは、Ａ／Ｄコンバーター５７６とマルチプレクサー５７８とを通して、ＥＣＧ入力プロセッサー５８０に供給される。ＥＣＧ入力プロセッサー５８０は、信号をデジタルワイヤレス通信に適合させ、デジタルワイヤレス通信サブシステム５６２に供給する。
【００７９】
第３のメディカルセンサーインターフェースサブユニット５９０は、好ましくは、ＳＰＯ２センサーの出力を処理する。典型的には、インターフェースサブユニット５９０は一つのＳＰＯ２入力レシーバー５９２を含む。ＳＰＯ２入力レシーバー５９２は、ワイヤレス結合を通じてＳＰＯ２センサーの出力を受け取り、典型的にはアンプとフィルターを含むＳＰＯ２入力チャンネルインターフェース５９４と結合される。ＳＰＯ２入力チャンネルインターフェース５９４の出力信号は、好ましくは、Ａ／Ｄコンバーター５９６を通してＳＰＯ２入力プロセッサー５９８に印加される。ＳＰＯ２入力プロセッサー５９８は信号をデジタルワイヤレス通信に適合させ、デジタルワイヤレス通信サブシステム５６２に供給する。
【００８０】
第４のメディカルセンサーインターフェースサブユニット６００は、好ましくは、温度センサーからの入力を処理する。典型的には、メディカルセンサーインターフェースサブユニット６００は一つの温度入力レシーバー６０２を含む。温度入力レシーバー６０２は、温度センサーからの入力をワイヤレス結合を通して受け取り、典型的にはアンプとフィルターを含む温度入力チャンネルインターフェース６０４に結合される。温度入力チャンネルインターフェース６０４の出力信号は、好ましくは、Ａ／Ｄコンバーター６０６を通してＳＰＯ２入力プロセッサー５９８に供給される。ＳＰＯ２入力プロセッサー５９８は、信号をデジタルワイヤレス通信に適合させ、デジタルワイヤレス通信サブシステム５６２に供給する。
【００８１】
図７Ｃのように、患者付添アセンブリー５００は、好ましくは血液化学センサーからの入力を処理する、第５のメディカルセンサーインターフェースサブユニット６１０も備える。代表的には、メディカルセンサーインターフェースサブユニット６１０は、少なくとも一つの血液化学入力レシーバー６１２を備える。血液化学入力レシーバー６１２は、少なくとも一つの血液化学センサーからの入力をワイヤレス結合を通して受け、典型的にはアンプとフィルターとを含む、少なくとも一つの血液化学入力チャンネルインターフェース６１４と結合されている。各血液化学入力チャンネルインターフェース６１４の出力信号は、好ましくは、Ａ／Ｄコンバーター６１６を通して、血液化学入力プロセッサー６１８に加えられる。血液化学入力プロセッサー６１８は、信号をデジタルワイヤレス通信に適合させ、デジタルワイヤレス通信サブシステム５６２に供給する。
【００８２】
第６のメディカルセンサーインターフェースサブユニット６２０は、好ましくは、呼吸のパラメーターセンサーからの入力を処理する。典型的には、メディカルセンサーインターフェースサブユニット６２０は、少なくとも一つの呼吸パラメーター入力レシーバー６２２を含む。呼吸パラメーター入力レシーバー６２２は、少なくとも一つの呼吸センサーからの入力をワイヤレス結合を通して受け、典型的にはアンプとフィルターを含む、少なくとも一つの呼吸パラメーター入力チャンネルインターフェース６２４と結合される。各呼吸パラメーター入力チャンネルインターフェース６２４の出力信号は、好ましくは、Ａ／Ｄコンバーター６２６を通して、呼吸パラメーター入力プロセッサー６２８に加えられる。呼吸パラメーター入力プロセッサー６２８は、信号をデジタルワイヤレス通信に適合させ、デジタルワイヤレス通信サブシステム５６２に供給する。
【００８３】
適切なメディカルセンサーならばどれでも、適当なメディカルセンサーインターフェースユニットを取付け、患者付添アセンブリー５００を用いて選択可能なモニターに結合できる。
【００８４】
典型的にはＮＥＸＴボタン５１６とＯＫボタン５２２を含む、適当なマン−マシンインターフェース６３０が、患者付添アセンブリー５００の種々の要素の動作を支配するコントローラー６３２の動作を制御する。コントローラー６３２は、好ましくは、二次回路５１１を含む。二次回路５１１は、センサーがワイヤレスで患者付添アセンブリー５００と通信したとき、電気特性の変化をセンシングし、患者付添アセンブリーの電源を入れる。コントローラー６３２は、付加的に、一つ以上の入力プロセッサー５６０、５８０、５９８、６１８、６２８からの患者パラメーターのモニター５０９上の表示を制御する。
【００８５】
一連の図８Ａ、８Ｂを説明するが、これらは図６Ａ、６Ｂのオペレーター制御メディカルモニタリングシステムに有用なモニターインターフェースアセンブリーの単純なブロックダイアグラムである。図８Ａ、８Ｂのように、モニターインターフェースアセンブリーは複数のモニターインターフェースサブユニットを含む。第１の圧力モニターインターフェースサブユニット６５０は、好ましくは、典型的には低圧電源を供給する従来のモニターの圧力センサーソケットに接続される。
【００８６】
モニターインターフェースサブユニット６５０は、好ましくは、デジタルワイヤレス通信サブシステム６５２を含む。デジタルワイヤレス通信サブシステム６５２は、ワイヤレストランシーバー６５４を含む。ワイヤレストランシーバー６５４は、患者付添アセンブリー５００のワイヤレストランシーバー５６４からのワイヤレス伝送を受け、受けた伝送を処理し、対応するモニターインターフェースサブユニットに送る。
【００８７】
モニターインターフェースサブユニット６５０と、典型的には４個まで付加される圧力モニターインターフェースサブユニット６６２、６６４、６６６、６６８は、好ましくは、モニターの独立した圧力センサーソケットに接続されるプラグコネクター（図示しない）を有する。各モニターインターフェースサブユニット６５０、６６２、６６４、６６６、６６８は、典型的には、アンプ、フィルター、Ｄ／Ａコンバーターを含む。Ｄ／Ａコンバーターは、デジタルワイヤレス通信サブシステム６５２により方向付けされ、受信された伝送の一部を、プロセッサーを通して受け取る。モニターインターフェースサブユニット６５０、６６２、６６４、６６６、６６８の出力は、好ましくは、モニターの対応する圧力センサーソケットに、従来のモニター動作に適した、従来の形式で供給される。
【００８８】
デジタルワイヤレス通信サブシステム６５２が、モニターの複数の圧力センサーソケットからの電力で動作することが、本発明の特徴である。各モニターインターフェースサブユニット６５０、６６２、６６４、６６６、６６８が、他の各種のモニターインターフェースサブユニット（このうちのいくつかは、モニターの電力を供給しないソケットに接続される）に電力を供給するのも本発明の特徴である。
【００８９】
図８Ｂにおいて、モニターインターフェースアセンブリーは、付加的にＥＣＧモニターインターフェースサブユニット６７０を含む。ＥＣＧモニターインターフェースサブユニット６７０は、好ましくは、モニターのＥＣＧソケットに接続可能なマルチチャンネルプラグコネクター（図示しない）を備える。モニターインターフェースサブユニット６７０は、典型的には、マルチプルアンプ、フィルター、Ｄ／Ａコンバーターを含む。Ｄ／Ａコンバーターは、少なくとも一つのプロセッサーを通して、デジタルワイヤレス通信サブシステム６５２により方向付けされ、ＥＣＧセンシングに関連する、受信した伝送の一部を受け取る。モニターインターフェースサブユニット６７０の出力は、好ましくは、モニターの対応するＥＣＧソケットに、従来のモニター動作に適した、従来の形式で供給される。
【００９０】
ＳＰＯ２モニターインターフェースサブユニット６７２は、好ましくは、モニターのＳＰＯ２センサーソケットに接続可能なプラグコネクター（図示しない）を備える。モニターインターフェースサブユニット６７２は、典型的には、アンプ、フィルター、Ｄ／Ａコンバーターを含む。Ｄ／Ａコンバーターは、プロセッサーを通して、デジタルワイヤレス通信サブシステム６５２により方向付けされ、ＳＰＯ２センシングに関連する、受信した伝送の一部を受け取る。モニターインターフェースサブユニット６７２の出力は、好ましくは、モニターの対応するＳＰＯ２センサーソケットに、従来のモニター動作に適した、従来の形式で供給される。
【００９１】
温度モニターインターフェースサブユニット６７４は、好ましくは、モニターの温度センサーソケットに接続可能なプラグコネクター（図示しない）を備える。モニターインターフェースサブユニット６７４は、典型的には、アンプ、フィルター、Ｄ／Ａコンバーターを含む。Ｄ／Ａコンバーターは、プロセッサーを通して、デジタルワイヤレス通信サブシステム６５２により方向付けされ、温度センシングに関連する、受信した伝送の一部を受け取る。モニターインターフェースサブユニット６７４の出力は、好ましくは、モニターの対応する温度センサーソケットに、従来のモニター動作に適した、従来の形式で供給される。
【００９２】
血液化学モニターインターフェースサブユニット６７６は、好ましくは、モニターの血液化学センサーソケットに接続可能な、少なくとも一つのプラグコネクター（図示しない）を備える。モニターインターフェースサブユニット６７６は、典型的には、少なくとも一つのアンプ、少なくとも一つのフィルター、少なくとも一つのＤ／Ａコンバーターを含む。Ｄ／Ａコンバーターは、プロセッサーを通して、デジタルワイヤレス通信サブシステム６５２により方向付けされ、血液化学センシングに関連する、受信した伝送の一部を受け取る。モニターインターフェースサブユニット６７６の出力は、好ましくは、モニターの対応する血液化学センサーソケットに、従来のモニター動作に適した、従来の形式で供給される。
【００９３】
呼吸パラメーターモニターインターフェースサブユニット６７８は、好ましくは、モニターの呼吸パラメーターセンサーソケットに接続可能な、少なくとも一つのプラグコネクター（図示しない）を備える。モニターインターフェースサブユニット６７８は、典型的には、少なくとも一つのアンプ、少なくとも一つのフィルター、少なくとも一つのＤ／Ａコンバーターを含む。Ｄ／Ａコンバーターは、少なくとも一つのプロセッサーを通して、デジタルワイヤレス通信サブシステム６５２により方向付けされ、呼吸パラメーターセンシングに関連する、受信した伝送の一部を受け取る。モニターインターフェースサブユニット６７８の出力は、好ましくは、モニターの対応する呼吸パラメーターセンサーソケットに、従来のモニター動作に適した、従来の形式で供給される。
【００９４】
適当なマン−マシンインターフェース６９０が、モニターインターフェースアセンブリーの種々の要素の動作を支配するコントローラー６９２の動作を制御する。コントローラー６９２はモニターインターフェースサブユニット６５０の一部をなしてもよい。
【００９５】
図９を説明するが、これは図６Ａ−７Ｃの患者付添アセンブリーの簡単な説明図である。図９のように、患者付添アセンブリー５００は、好ましくは、前部７０２と後部７０４とからなり、好ましくは、図７Ａ−７Ｃの部品を内蔵するハウジング７００を備える。ハウジング７００の下端には、複数の、好ましくは５個の血圧センサー入力レシーバー５１０を備える。各入力レシーバー５１０は、好ましくは、圧力入力チャンネルインターフェース５５４（図７Ａー７Ｃ）と結合する。
【００９６】
前パネル７０８は、圧力変換取付ソケット７１０を位置決めする複数の、好ましくは５個の取付用突起を、好ましくは備える。圧力変換取付ソケット７１０は、従来の血圧変換アセンブリー７１２を着脱可能に支持する。従来の血圧変換アセンブリー７１２は、例えばトランスパックＩＴであり、イスラエル、キブツ  バラムのエルカム  メディカル  Ａ．Ｃ．Ａ．Ｌから、カタログ名「完全統合可換血圧トランスデューサー」で市販されている。前パネル７０８には、図６Ａ−７Ｃで説明したメディカルモニター５０９も備えられる。
【００９７】
ハウジング７００の側面７１６の凹部７１４には、好ましくはＳＰＯ２入力チャンネルインターフェース５９４（図７Ａ−７Ｃ）と接続される、ＳＰＯ２センサー入力レシーバー７２０が、好ましくは備えられる。凹部７１４には、好ましくはＥＣＧ入力チャンネルインターフェース５７４（図７Ａ−７Ｃ）と接続される、ＥＣＧセンサー入力レシーバー７２２が付加的に備えられる。さらに、凹部７１４には、好ましくは温度入力チャンネルインターフェース６０４（図７Ａ−７Ｃ）と接続される、温度センサー入力レシーバー７２４が付加的に備えられる。
【００９８】
前パネル７０８には、複数の、好ましくは５個の圧力チャンネルコントロールボタン７２８が並び、血圧変換アセンブリー７１２の動作を制御する。コントロールパネル７２６には、電池充電状態表示７３０、図６Ａ−７Ｃで説明したＮＥＸＴボタン５１６、図６Ａ−７Ｃで説明したＯＫボタン５２２、電源入切ボタン７３２、音と光での警報表示７３４も、好ましくは備えられる。
【００９９】
図１０を説明するが、これは図６Ａ−９のシステムの動作の簡単なフローチャートである。図１０のように、電源入切ボタン７３２（図９）が切のとき、患者付添アセンブリー５００（図６Ａ−６Ｂ）の動作は、オペレーターが電源入切ボタン７３２を押すか、血圧センサー入力レシーバー５１０(図９）の血圧変換器２１３からの出力信号を受けたとき、初期化される。図７Ａ−７Ｃのコントローラー６３２により、種々のシステムチェックが自動的に行なわれる。問題が発生したとき、好ましくは、警報が音と光での警報表示７３４(図９）により表示され、患者付添アセンブリーは切になる。
【０１００】
もしシステムチェック中に問題が発生しなければ、モニター５０２（図６Ａ−６Ｂ）のようなモニターのデジタルワイヤレス通信サブシステム６５２（図８Ａ、８Ｂ）とのワイヤレス通信が確立される。患者付添アセンブリー５００（図７Ａ−７Ｃ）のワイヤレストランシーバー５６４が、出力される信号強度に従い、付近のレシーバーをランク付けする。典型的には、設定数のレシーバー、好ましくは３台がランク付けされる。
【０１０１】
次に、患者付添アセンブリー５００のデジタルワイヤレス通信サブシステム５６２により、最高ランクのモニターのデジタルワイヤレス通信サブシステム６５２との通信が確立される。通信中のモニターは、例えば三角波のような音と光の表示を、設定時間、典型的には１０秒間、行なう。
【０１０２】
もしＮＥＸＴボタン５１６（図９）が設定時間内に押されると、患者付添アセンブリー５００のデジタルワイヤレス通信サブシステム５６２により、次のランクのモニターのデジタルワイヤレス通信サブシステム６５２との通信が確立される。
【０１０３】
もし、患者付添アセンブリー５００のＯＫボタン５２２（図９）が設定時間内に押されるか、コントロールパネル７２６（図９）のどのボタンも押されないときは、患者付添アセンブリーは選択したモニターとの通信を確定する。
【０１０４】
確定に続き、患者付添アセンブリー５００のセンサー入力レシーバーによりセンサーからの信号が受信されたならば、選択されたモニターは、患者付添アセンブリー５００のワイヤレストランシーバー５６４により伝達されるセンサー信号を表示する。
【０１０５】
もし、例えばセンサー入力レシーバー５１０のようなセンサー入力レシーバーにより、センサーからの信号が受信されなかったときは、患者付添アセンブリーは設定時間の間、待機中となり、もし設定時間内に信号が受信されなかったら、患者付添アセンブリーは電源切となる。
【０１０６】
あるいは、患者付添アセンブリー１００は、センサーが患者付添アセンブリーの適切なソケットに接続されたときのみ、モニターの一つと通信を確立する。
【０１０７】
患者付添アセンブリーは初期的には、他のモニターと通信を確立する前に、モニター５０９と通信を確立する。さらに、センサー信号は、好ましくは、いかなるときも１台のモニターだけに表示される。従って、モニター５０９以外のモニターが選択され、センサー信号が選択されたモニターに表示されたとき、センサー信号はもはやモニター５０９に表示されない。同様に、モニター５０２のような外部モニターのセンサー信号が終了したとき、信号は自動的にモニター５０９に表示される。
【０１０８】
図１１Ａ、１１Ｂについて説明するが、これらの図は一体となって、本発明のさらに他の好ましい実施態様により構成され機能する、オペレーター制御のメディカルモニタリングシステムの作用を単純化した説明図である。図１１Ａと１１Ｂのように、オペレーターに制御されたメディカルモニタリングシステムは、患者の指標をモニターするのに適したメディカルセンサー、それぞれワイヤレスレシーバーとメディカル情報出力デバイスを有する複数のメディカルモニター、複数のメディカルモニターのうちの一つを選択し、メディカルセンサーと複数のメディカルモニターの内の選択された一つとの間の通信をする、オペレーター制御のメディカルモニターセレクターを備えた患者付添アセンブリーを含む。
【０１０９】
図１１Ａの段階Ａにおいて、典型的には手術室にいる患者が見られる。本発明の好ましい実施態様により、患者は患者付添アセンブリー１１００に結合されている。患者付添アセンブリー１１００は、メディカルモニターセレクター１１０１を含み、これはオペレーターにより、複数のメディカルモニターから一つ、例えば従来のメディカルモニター１１０２を選択し、患者に取付けられたメディカルセンシングデバイス、例えば血圧センサー１１０４と、選択されたメディカルモニターとを、好ましくはメディカルモニター１１０２に付属したワイヤレスレシーバー１１０６を通して、通信させる。図１１Ａの実施態様では、有線結合がセンサー１１０４と患者付添アセンブリー１１００との間にあるが、これはワイヤレス結合でもよい。好ましくは、患者付添アセンブリー１１００とメディカルモニター１１０２との間の結合はワイヤレスであり、トランスミッター１１０８を用いる。トランスミッター１１０８は、好ましくは、患者付添アセンブリー１１００の一部をなし、ワイヤレスレシーバー１１０６と通信する。
【０１１０】
メディカルセンサーは、図１１Ａのように患者に取付けられるか、患者と結合される。患者に結合され、患者付添アセンブリー１１００に搭載されるメディカルセンサーデバイスの例には、生理的圧力センサーが含まれる。図１１Ａは、オペレーターがセンサー１１０４を、患者付添アセンブリー１１００の複数の結合ソケットのうちの一つにつなぐ過程を示す。好ましくは、メディカルセンシングデバイスの結合は、患者付添アセンブリー１１００の電源初期化をおこなう。
【０１１１】
段階Ｂでは、患者は段階Ａと同じ位置で手術中である。モニター１１０２は、患者付添アセンブリー１１００、トランスミッター１１０８、レシーバー１１０６を通して、メディカルセンシングデバイスからの種々の患者パラメーターを表示中である。
【０１１２】
段階Ｂの手術に続く段階Ｃでは、患者は他の場所に移動する準備中であり、好ましくはワイヤレスレシーバー１１１４を備えた従来のポータブルモニター１１１３が導入される。オペレーターは、典型的には、モニターセレクター１１０１をポータブルモニター１１１３に向け、患者付添アセンブリー１１００のモニターセレクター１１０１上のＳＥＬＥＣＴボタン１１１５を押して、患者付添アセンブリー１１００とポータブルモニター１１１３との通信を初期化している。初期化により、典型的には、図示のように患者パラメーターはポータブルモニター１１１３に表示され、好ましくは、同時にモニター１１０２の患者パラメーターの表示は終了する。あるいは、オペレーターはモニターセレクターを向け、モニターセレクター１１０１上のＣＡＮＣＥＬボタン１１１６を押して、モニター１１０２上の患者パラメーターの表示を終了させる。選択されたアクティブなモニターは、モニターセレクター１１０１のディスプレイ１１１７に表示される。
【０１１３】
図１１Ｂのように、段階Ｄは、ＩＣＵまたは他の回復室に移された患者が、ポータブルモニター１１１３に結合され、ポータブルモニター１１１３は患者パラメーターを表示している。
【０１１４】
段階Ｅでは、複数の壁掛けモニターの一つの初期選択が示される。選択は、典型的には、オペレーターがモニターセレクター１１０１を選択するモニターに向け、患者付添アセンブリー１１００のモニターセレクター１１０１上のＳＥＬＥＣＴボタン１１１５を押す。選択により、典型的には、患者パラメーターは選択された壁掛けモニター１１１８に表示され、好ましくは同時に、図示のように、ポータブルモニター１１１３上の患者パラメーターの表示は終了する。あるいは、オペレーターは、モニター１１１３上の患者パラメーターの表示を、モニターセレクターを向け、モニターセレクター１１０１上のＣＡＮＣＥＬボタン１１１６を押して終了させる。選択されたアクティブなモニターは、モニターセレクター１１０１のディスプレイ１１１７に表示される。
【０１１５】
複数の壁掛けモニターが患者付添アセンブリー１１００と通信可能なとき、壁掛けモニターの選択は、好ましくは、モニターセレクター１１０１が選択中に指し示す方向に基づく。
【０１１６】
段階Ｅにおいて、壁掛けモニター１１１８は、オペレーターが用いることを希望したものではない。したがって、本発明の好ましい実施態様により、図Ｆのように、オペレーターは他の壁掛けモニターを、好ましくはモニターセレクター１１０１を正しいモニターに向け、患者付添アセンブリー１１００のモニターセレクター１１０１上のＳＥＬＥＣＴボタンを押して、選択することができる。これにより、好ましくは、患者パラメーターは、モニターセレクター１１０１の指し示した壁掛けモニター１１２０に表示され、好ましくは同時に、モニター１１１８上の患者パラメーターの表示が終了する。あるいは、オペレーターは、モニター１１１８上の患者パラメーターの表示を、モニターセレクターを向け、モニターセレクター１１０１上のＣＡＮＣＥＬボタン１１１６を押して終了させる。選択されたアクティブなモニターは、モニターセレクター１１０１のディスプレイ１１１７に表示される。
【０１１７】
一連の図、図１２Ａ、１２Ｂ、１２Ｃについて説明するが、これらは図１１Ａ、１１Ｂのオペレーター制御メディカルモニタリングシステムに有用な、患者付添アセンブリー１１００の単純化したブロックダイアグラムである。図１２Ａ−１２Ｃのように、患者付添アセンブリーは複数のメディカルセンサーインターフェースサブユニットを備える。第１のメディカルセンサーインターフェースサブユニット１１５０は、好ましくは、例えば頭蓋内圧センサー、動脈圧センサー、静脈圧センサーなどの圧力センサーからの入力を処理する。典型的には、インターフェースサブユニット１１５０は、コネクター１１１０のような、５個の圧力センサーコネクター１１５２を含み、それぞれは独立した圧力センサーに結合され、圧力入力チャンネルインターフェース１１５４に結合され、典型的にはアンプとフィルターを含む。圧力入力チャンネルインターフェース１１５４の出力は、好ましくは、Ａ／Ｄコンバーター１１５６とマルチプレクサー１１５８を通して、圧力センサー入力プロセッサー１１６０に印加される。圧力センサー入力プロセッサー１１６０は、信号をデジタルワイヤレス通信に適合させ、ワイヤレストランシーバー１１６４を含むデジタルワイヤレス通信サブシステム１１６２に供給する。
【０１１８】
図１２Ｂにおいて、患者付添アセンブリー１１００は、付加的に第２のセンサーインターフェースサブユニット１１７０を含む。第２のセンサーインターフェースサブユニット１１７０は、好ましくは、複数のＥＣＧ電極からの入力を処理する。典型的には、インターフェースサブユニット１１７０は、複数のチャンネルを持ち、それぞれがＥＣＧ入力チャンネルインターフェース１１７４と結合され、典型的にはアンプとフィルターを含む一つのマルチチャンネルＥＣＧコネクター１１７２を含む。ＥＣＧ入力チャンネルインターフェース１１７４は、好ましくは、Ａ／Ｄコンバーター１１７６とマルチプレクサー１１７８を通してＥＣＧ入力プロセッサー１１８０に印加される。ＥＣＧ入力プロセッサー１１８０は、信号をデジタルワイヤレス通信に適合させ、デジタルワイヤレス通信サブシステム１１６２に供給する。
【０１１９】
第３のメディカルセンサーインターフェースサブユニット１１９０は、好ましくは、ＳＰＯ２センサーからの入力を処理する。典型的には、メディカルセンサーインターフェースサブユニット１１９０は、ＳＰＯ２入力チャンネルインターフェース１１９４に結合した、典型的には、アンプとフィルターを有する一つのＳＰＯ２コネクター１１９２を含む。ＳＰＯ２入力チャンネルインターフェース１１９４からの出力信号は、好ましくは、Ａ／Ｄコンバーター１１９６を通して、ＳＰＯ２入力プロセッサー１１９８に印加される。ＳＰＯ２入力プロセッサー１１９８は、信号をデジタルワイヤレス通信に適合させ、デジタルワイヤレス通信サブシステム１１６２に供給する。
【０１２０】
第４のメディカルセンサーインターフェースサブユニット１２００は、好ましくは、温度センサーからの入力を処理する。典型的には、インターフェースサブユニット１２００は温度入力チャンネルインターフェース１２０４に結合した一つの、典型的には、アンプとフィルターを有する温度コネクター１２０２を含む。温度入力チャンネルインターフェース１２０４からの出力信号は、好ましくはＡ／Ｄコンバーター１２０６を通して、ＳＰＯ２入力プロセッサー１１９８に供給される。ＳＰＯ２入力プロセッサー１１９８は、信号をデジタルワイヤレス通信に適合させ、デジタルワイヤレス通信サブシステム１１６２に供給する。
【０１２１】
図１２Ｃのように、患者付添アセンブリー１１００は、好ましくは血液化学センサーからの入力を処理する第５のメディカルセンサーインターフェースサブユニット１２１０も含む。典型的には、インターフェースサブユニット１２１０は、少なくとも一つの血液化学入力チャンネルインターフェース１２１４に結合し、典型的にはアンプとフィルターを有する、少なくとも一つの血液化学コネクター１２１２を含む。各血液化学入力チャンネルインターフェース１２１４からの出力信号は、好ましくはＡ／Ｄコンバーター１２１６を通して、血液化学入力プロセッサー１２１８に供給される。血液化学入力プロセッサー１２１８は、信号をデジタルワイヤレス通信に適合させ、デジタルワイヤレス通信サブシステム１１６２に供給する。
【０１２２】
第６のメディカルセンサーインターフェースサブユニット１２２０は、好ましくは、呼吸パラメーターセンサーからの入力を処理する。典型的には、インターフェースサブユニット１２２０は、少なくとも一つの呼吸パラメーター入力チャンネルインターフェース１２２４に結合した少なくとも一つの、典型的には、アンプとフィルターを有する呼吸パラメーターコネクター１２２２を含む。各呼吸パラメーター入力チャンネルインターフェース１２２４からの出力信号は、好ましくはＡ／Ｄコンバーター１２２６を通して、呼吸パラメーター入力プロセッサー１２２８に供給される。呼吸パラメーター入力プロセッサー１２２８は、信号をデジタルワイヤレス通信に適合させ、デジタルワイヤレス通信サブシステム１１６２に供給する。
【０１２３】
どのような適切なメディカルセンサーでも、患者付添アセンブリー１１００を利用する選択可能なモニターに、適当なメディカルセンサーインターフェースユニットを用いれば、結合できる。
【０１２４】
適当なマン−マシンインターフェース１２３０は、典型的にはＳＥＬＥＣＴボタン１１１５、ディスプレイ１１１７、ＣＡＮＣＥＬボタン１１１６を有するモニターセレクターを含む、コントローラー１２３２の動作を制御する。コントローラー１２３２は、患者付添アセンブリー１１００の種々の要素の動作を制御する。
【０１２５】
一連の図である図１３Ａと１３Ｂを説明するが、これは図１１Ａと１１Ｂのオペレーター制御メディカルモニタリングシステムに用いられるモニターインターフェースアセンブリーの単純化したブロック図である。図１３Ａと１３Ｂのように、モニターインターフェースアセンブリーは複数のモニターインターフェースサブユニットを持つ。第１の圧力モニターインターフェースサブユニット１２５０は、好ましくは、典型的には低電圧を供給する従来のモニターの圧力セレクターソケットに結合する。
【０１２６】
モニターインターフェースサブユニット１２５０は、好ましくはデジタルワイヤレス通信サブシステム１２５２を備える。デジタルワイヤレス通信サブシステム１２５２は、患者付添アセンブリー１１００のワイヤレストランシーバー１１６４からのワイヤレス伝送を受け、受けた伝送を処理し、対応するモニターインターフェースサブユニットに送る、ワイヤレストランシーバー１２５４を含む。
【０１２７】
モニターインターフェースサブユニット１２５０と、典型的には４個まで追加される圧力モニターインターフェースサブユニット１２６２、１２６４、１２６６、１２６８は、好ましくは、モニターの、それぞれ分離した圧力センサーソケットと結合するプラグコネクター（図示しない）を有する。各モニターインターフェースサブユニット１２５０、１２６２、１２６４、１２６６、１２６８は、典型的には、アンプ、フィルター、Ｄ／Ａコンバーターを含む。Ｄ／Ａコンバーターは、プロセッサーを通してデジタルワイヤレス通信サブシステム１２５２により、受信伝送の一部を受ける。モニターインターフェースサブユニット１２５０、１２６２、１２６４、１２６６、１２６８の出力は、好ましくは、モニターの対応する圧力センサーに、従来のモニター動作に適した従来の形式で供給される。
【０１２８】
デジタルワイヤレス通信サブシステム１２５２が、モニターの圧力センサーソケットのいくつかから電力を供給されることが、本発明の特徴である。モニターインターフェースサブユニット１２５０、１２６２、１２６４、１２６６、１２６８が、それぞれ種々のモニターインターフェースサブユニットに、そのうちのいくつかは電力を供給しないソケットに結合しているが、電力を供給することが、本発明のさらなる特徴である。
【０１２９】
図１３Ｂにおいて、モニターインターフェースアセンブリーは、付加的にＥＣＧモニターインターフェースサブユニット１２７０を含む。ＥＣＧモニターインターフェースサブユニット１２７０は、好ましくは、モニターのＥＣＧソケットに適合するマルチチャンネルプラグコネクター（図示しない）を有する。モニターインターフェースサブユニット１２７０は、典型的には、マルチプルアンプ、フィルター、Ｄ／Ａコンバーターを有する。これらは、少なくとも一つのプロセッサーを通して、デジタルワイヤレス通信サブシステム１２５２により送られた、ＥＣＧセンシングに関連する伝送を受信する。モニターインターフェースサブユニット１２７０の出力は、好ましくはモニターの対応するＥＣＧソケットに、モニターの従来の動作に適した従来の形式で供給される。
【０１３０】
ＳＰＯ２モニターインターフェースサブユニット１２７２は、好ましくは、モニターのＳＰＯ２センサーソケットに結合できるプラグコネクター（図示しない）を備える。モニターインターフェースサブユニット１２７２は、典型的には、アンプ、フィルター、Ｄ／Ａコンバーターを含む。Ｄ／Ａコンバーターは、プロセッサーを通して、デジタルワイヤレス通信サブシステム１２５２により方向付けられた、ＳＰＯ２センシングに関連する受信伝達を受信する。モニターインターフェースサブユニット１２７２の出力は、好ましくは、モニターの対応するＳＰＯ２センサーソケットに、モニターの従来の動作に適した従来の形式で、供給される。
【０１３１】
温度モニターインターフェースサブユニット１２７４は、好ましくは、モニターの温度センサーソケットに結合できるプラグコネクター（図示しない）を備える。モニターインターフェースサブユニット１２７４は、典型的には、アンプ、フィルター、Ｄ／Ａコンバーターを含む。Ｄ／Ａコンバーターは、プロセッサーを通してデジタルワイヤレス通信サブシステム１２５２により方向付けられた、温度センシングに関連する受信伝達を受信する。モニターインターフェースサブユニット１２７４の出力は、好ましくは、モニターの対応する温度センサーソケットに、モニターの従来の動作に適した従来の形式で、供給される。
【０１３２】
血液化学モニターインターフェースサブユニット１２７６は、好ましくは、モニターの血液化学センサーソケットに結合できる、少なくとも一つのプラグコネクター（図示しない）を備える。モニターインターフェースサブユニット１２７６は、典型的には、少なくとも一つのアンプ、少なくとも一つのフィルター、少なくとも一つのＤ／Ａコンバーターを含む。これらは、プロセッサーを通してデジタルワイヤレス通信サブシステム１２５２により方向付けられた、血液化学センシングに関連する受信伝達を受信する。モニターインターフェースサブユニット１２７６の出力は、好ましくは、モニターの対応する血液化学センサーソケットに、モニターの従来の動作に適した従来の形式で、供給される。
【０１３３】
呼吸パラメーターモニターインターフェースサブユニット１２７８は、好ましくは、モニターの呼吸センサーソケットに結合できる、少なくとも一つのプラグコネクター（図示しない）を備える。モニターインターフェースサブユニット１２７８は、典型的には、少なくとも一つのアンプ、少なくとも一つのフィルター、少なくとも一つのＤ／Ａコンバーターを含む。これらは、少なくとも一つのプロセッサーを通して、デジタルワイヤレス通信サブシステム１２５２により方向付けられた、呼吸センシングに関連する受信伝達を受信する。呼吸パラメーターモニターインターフェースサブユニット１２７８の出力は、好ましくは、モニターの対応する呼吸センサーソケットに、モニターの従来の動作に適した従来の形式で、供給される。
【０１３４】
適当なマン−マシンインターフェース１２９０は、コントローラー１２９２の動作を制御する。コントローラー１２９２は、モニターインターフェースアセンブリーの種々の要素の動作を制御し、モニターセレクター１１０１からの通信コマンドを受信する。コントローラー１２９２はモニターインターフェースサブユニット１２５０の一部でもよい。
【０１３５】
図１４の説明をするが、これは図１１Ａ−１２Ｃの患者付添アセンブリーの単純化した説明図である。図１４のように、患者付添アセンブリー１１００は、好ましくは前部１３０２と後部１３０４からなるハウジング１３００からなり、ハウジング１３００は、好ましくは図１２Ａ−１２Ｃの装置を囲んでいる。ハウジング１３００の下端には、複数の、好ましくは５個の圧力変換コネクターソケット１１１０がある。これは例えば、米国、ペンシルバニア州の、ベルヒューズ・オブ・グレンロック社から市販の、ＲＪ１１雌型モジュラージャックである。各ソケット１１１０は、好ましくは、圧力入力チャンネルインターフェース１１５４（図１２Ａ−１２Ｃ）に結合する、適当な圧力センサーコネクター（図示しない）を備える。前面パネル１３０８は、好ましくは、複数の、好ましくは５個の圧力変換ソケット１３１０の取り付け用凹部を備える。圧力変換ソケット１３１０は、従来の血圧変換アセンブリー１３１２を着脱可能に保持し、各血圧変換アセンブリー１３１２はコネクター１３１３を備える。コネクター１３１３は、例えば、トランスパックＩＴであり、トランスパックＩＴは、カタログ名称を「完全統合使い捨て血液圧力変換装置」といい、イスラエル、キブツ  バラムのエルカムメディカルＡ．Ｃ．Ａ．Ｌから市販されている。
【０１３６】
ハウジング１３００の側面１３１６の凹み１３１４には、好ましくは、ＳＰＯ２コネクターソケット１３２０が備えられる。ＳＰＯ２コネクターソケット１３２０は、例えばＤタイプ９Ｓコネクターソケットであり、これは米国、イリノイ州のモレックス社から市販されている。ＳＰＯ２コネクターソケット１３２０は、好ましくは、ＳＰＯ２入力チャンネルインターフェース１１９４（図１２Ａ−１２Ｃ）と結合する適当なＳＰＯ２センサーコネクター（図示しない）を備える。凹み１３１４には、付加的に、従来の雌型Ｄタイプ１５Ｓコネクターソケットのような、ＥＣＧセンサーソケット１３２２が備えられる。雌型Ｄタイプ１５Ｓコネクターソケットは、米国、イリノイ州のモレックス社から市販されており、好ましくは、ＥＣＧ入力チャンネルインターフェース１１７４（図１２Ａー１２Ｃ）に結合する、適切なＥＣＧセンサーを備える。凹み１３１４には、さらに、温度センサーソケット１３２４が設けられる。温度センサーソケット１３２４としては、例えば従来の１／４”雌型ＲＳ音響ジャックがよい。１／４”雌型ＲＳ音響ジャックは、米国イリノイ州シカゴのスイッチクラフト社から市販されていて、温度入力チャンネルインターフェース１２０４（図１２Ａ−１２Ｃ）に結合する、適当な温度センサーコネクター（図示しない）を、好ましくは含む。
【０１３７】
前面パネル１３０８に、複数の、好ましくは５個の圧力チャンネル制御ボタン１３２８を含む制御パネルがある。圧力チャンネル制御ボタン１３２８は血圧変換アセンブリー１３１２の動作を制御する。同様に、制御パネル１３２６には、電池充電状態表示１３３０、電源ボタン１３３２、音と光の警報表示１３３４もある。
【０１３８】
側面１３１６の反対側の、ハウジング１３００の側面１３３６には、セレクターサポートエレメント１３３８があり、モニターセレクター１１０１を備える。モニターセレクター１１０１は、好ましくは患者付添アセンブリー１１００のハウジング１３００に、典型的にはケーブル１３４０により結合される。図１４の拡大図のように、ＳＥＬＥＣＴボタン１１１５、ディスプレイ１１１７、ＣＡＮＣＥＬボタン１１１６は、好ましくはモニターセレクター１１０１の前面１３４２にある。
【０１３９】
図１５について説明するが、これは図１１Ａ−１４のシステムの動作の単純化したフローチャートである。図１５のように、電源ボタン１３３２（図１４）が切状態のとき、患者付添アセンブリー１１００（図１１Ａ−１１Ｂ）の動作は、オペレーターが電源ボタン１３３２を押すか、血圧変換器１３１２のコネクター１３１３をソケット１１１０（図１４）に挿入すると、初期化される。種々のシステムチェックが図１２Ａ−１２Ｃのコントローラー１２３２により自動的に実行される。もし問題があれば、好ましくは、警報が音と光の警報表示１３３４（図１４）により表示され、患者付添アセンブリーは切になる。
【０１４０】
システムチェックの際問題がなければ、モニター１１０２（図１１Ａ−１１Ｂ）のようなモニターのデジタルワイヤレス通信サブシステム１２５２（図１３Ａ、１３Ｂ）とのワイヤレス通信が確立される。患者付添アセンブリー１１００（図１２Ａ−１２Ｃ）のワイヤレストランシーバー１１６４は、信号の強度に基づき、近辺のレシーバーのランク付けをする。典型的には、設定された数、好ましくは３個のレシーバーがランク付けされる。
【０１４１】
その後、患者付添アセンブリー１１００のデジタルワイヤレス通信サブシステム１１６２により、最高ランクのモニターのデジタルワイヤレス通信サブシステム１２５２との通信が確立される。通信中のモニターは、音と光の表示により、設定時間、好ましくは１０秒間、通信状態であることを表示する。
【０１４２】
モニターセレクター１１０１が他のモニターを指示していて、ＳＥＬＥＣＴボタン１１１５（図１４）が設定時間内に押されると、患者付添アセンブリー１１００のデジタルワイヤレス通信サブシステム１１６２により、モニターセレクター１１０１が指示するデジタルワイヤレス通信サブシステム２５２との通信が確立される。
【０１４３】
もし、患者付添アセンブリー１１００の制御パネル１３２６（図１４）のボタンも、モニターセレクター１１０１も設定時間内に押されないと、患者付添アセンブリーは選択されたモニターとの通信を確立する。
【０１４４】
確立後、もしセンサーが患者付添アセンブリー１１００のソケットに接続されたら、選択されたモニターは、患者付添アセンブリー１１００のワイヤレストランシーバー１１６４により伝達されたセンサー信号を表示する。もし、患者付添アセンブリーのソケットにセンサーが接続されないと、患者付添アセンブリーは設定時間、待機状態を続け、もしその時間にセンサーが接続されないと、患者付添アセンブリーの電源は切れる。
【０１４５】
あるいは、患者付添アセンブリー１１００は、センサーが患者付添アセンブリーの適当なソケットに接続されたときだけ、モニターと通信を確立する。
【０１４６】
もし、ＣＡＮＣＥＬボタン１１１６が押されると、センサー信号を表示していたモニターの表示が消え、患者付添アセンブリーは設定時間、待機状態を続ける。もし、オペレーターが設定時間内にＳＥＬＥＣＴボタン１１１５を押して他のモニターを選ぶと、患者付添アセンブリーと選択されたモニターとの通信が上記のように確立され、もし設定時間が過ぎ、モニターが選択されないと、患者付添アセンブリーの電源は切になる。
【０１４７】
図１１Ａ−１５の実施態様のタイプのモニターセレクターは、図１Ａ−１０の実施態様に用いられる。更に、図６Ａ−１０の実施態様のタイプのモニター５０９は、図１１Ａ−１５の実施態様に用いられる。
【０１４８】
この技術の当業者にとって、本発明は上記の記載の限定されない。本発明の範囲は、上記の特徴の組み合わせと、当業者が上記の記載により行なう変形で、従来技術にないものも含む。
【符号の説明】
【０１４９】
１００       患者付添アセンブリー
１０２       メディカルモニター
１０４       血圧センサー
１０６       ワイヤレスレシーバー
１０８       トランスミッター
１１０       ソケット
１１２       ポータブルモニター
１１４       ワイヤレスレシーバー
１１６       ボタン
１１８       モニター
１２０       モニター
１２２       ボタン
１５０       メディカルセンサーインターフェースサブユニット
１５２       圧力センサーコネクター
１５４       圧力入力チャンネルインターフェース
１５６       コンバーター
１５８       マルチプレクサー
１６０       圧力センサー入力プロセッサー
１６２       デジタルワイヤレス通信サブシステム
１６４       ワイヤレストランシーバー、トランスミッター
１７０       メディカルセンサーインターフェースサブユニット
１７２       コネクター
１７４       入力チャンネルインターフェース
１７６       Ａ／Ｄコンバーター
１７８       マルチプレクサー
１８０       入力プロセッサー
１９０       メディカルセンサーインターフェースサブユニット
１９２       コネクター
１９４       入力チャンネルインターフェース
１９６       Ａ／Ｄコンバーター
１９８       入力プロセッサー
２００       メディカルセンサーインターフェースサブユニット
２０２       温度コネクター
２０４       温度入力チャンネルインターフェース
２０６       Ａ／Ｄコンバーター
２１０       メディカルセンサーインターフェースサブユニット
２１２       血液化学コネクター
２１３       血圧変換器
２１４       血液化学入力チャンネルインターフェース
２１６       Ａ／Ｄコンバーター
２１８       血液化学入力プロセッサー
２２０       メディカルセンサーインターフェースサブユニット
２２２       呼吸パラメーターコネクター
２２４       呼吸パラメーター入力チャンネルインターフェース
２２６       Ａ／Ｄコンバーター
２２８       呼吸パラメーター入力プロセッサー
２３０       マシンインターフェース
２３２       コントローラー
２５０       圧力モニターインターフェースサブユニット
２５２       デジタルワイヤレス通信サブシステム
２５４       ワイヤレストランシーバー
２６２       圧力モニターインターフェースサブユニット
２７０       ＥＣＧモニターインターフェースサブユニット
２７２       ＳＰＯ２モニターインターフェースサブユニット
２７４       温度モニターインターフェースサブユニット
２７６       血液化学モニターインターフェースサブユニット
２７８       呼吸パラメーターモニターインターフェースサブユニット
２９０       マシーンインターフェース
２９２       コントローラー
３００       ハウジング
３０２       前方部
３０４       後方部
３０８       前面パネル
３１０       圧力変換装着ソケット
３１２       血圧変換アセンブリー、血圧変換器
３１３       コネクター
３１４       凹部
３１６       側壁
３２０       コネクターソケット
３２４       温度センサーソケット
３２６       制御パネル
３２８       圧力チャンネル制御ボタン
３３０       電池充電状態インジケーター
３３２       電源ボタン
３３４       警報表示
５００       患者付添アセンブリー
５０２       メディカルモニター
５０４       血圧センサー
５０６       ワイヤレスレシーバー
５０８       トランスミッター
５０９       メディカルモニター
５１０       血圧センサー入力レシーバー
５１１       二次回路
５１６       ボタン
５１８       モニター
５２０       モニター
５２２       ボタン
５５０       メディカルセンサーインターフェースサブユニット
５５２       圧力センサー入力レシーバー
５５４       圧力入力チャンネルインターフェース
５５６       Ａ／Ｄコンバーター
５５８       マルチプレクサー
５６０       圧力センサー入力プロセッサー
５６２       デジタルワイヤレス通信サブシステム
５６４       ワイヤレストランシーバー
５７０       メディカルセンサーインターフェースサブユニット
５７２       入力レシーバー
５７４       入力チャンネルインターフェース
５７６       Ａ／Ｄコンバーター
５７８       マルチプレクサー
５８０       入力プロセッサー
５９０       メディカルセンサーインターフェースサブユニット
５９２       入力レシーバー
５９４       入力チャンネルインターフェース
５９６       Ａ／Ｄコンバーター
５９８       入力プロセッサー
６００       メディカルセンサーインターフェースサブユニット
６０２       温度入力レシーバー
６０４       温度入力チャンネルインターフェース
６０６       Ａ／Ｄコンバーター
６１０       メディカルセンサーインターフェースサブユニット
６１２       血液化学入力レシーバー
６１４       血液化学入力チャンネルインターフェース
６１６       Ａ／Ｄコンバーター
６１８       血液化学入力プロセッサー
６２０       メディカルセンサーインターフェースサブユニット
６２２       呼吸パラメーター入力レシーバー
６２４       呼吸パラメーター入力チャンネルインターフェース
６２６       Ａ／Ｄコンバーター
６２８       呼吸パラメーター入力プロセッサー
６３０       マン−マシーンインターフェース
６３２       コントローラー
６５０       圧力モニターインターフェースサブユニット
６５２       デジタルワイヤレス通信サブシステム
６５４       ワイヤレストランシーバー
６６２       圧力モニターインターフェースサブユニット
６７０       ＥＣＧモニターインターフェースサブユニット
６７２       ＳＰＯ２モニターインターフェースサブユニット
６７４       温度モニターインターフェースサブユニット
６７６       血液化学モニターインターフェースサブユニット
６７８       呼吸パラメーターモニターインターフェースサブユニット
６９０       マン−マシーンインターフェース
６９２       コントローラー
７００       ハウジング
７０２       前部
７０４       後部
７０８       前パネル
７１０       圧力変換取付ソケット
７１２       血圧変換アセンブリー
７１４       凹部
７１６       側面
７２０       センサー入力レシーバー
７２２       センサー入力レシーバー
７２４       温度センサー入力レシーバー
７２６       コントロールパネル
７２８       圧力チャンネルコントロールボタン
７３０       電池充電状態表示
７３２       電源入切ボタン
７３４       警報表示
１１００    患者付添アセンブリー
１１０１    メディカルモニターセレクター
１１０２    メディカルモニター
１１０４    血圧センサー
１１０６    ワイヤレスレシーバー
１１０８    トランスミッター
１１１０    コネクターソケット
１１１３    ポータブルモニター
１１１４    ワイヤレスレシーバー
１１１５    ボタン
１１１６    ボタン
１１１７    ディスプレイ
１１１８    モニター
１１２０    モニター
１１５０    メディカルセンサーインターフェースサブユニット
１１５２    圧力センサーコネクター
１１５４    圧力入力チャンネルインターフェース
１１５６    Ａ／Ｄコンバーター
１１５８    マルチプレクサー
１１６０    圧力センサー入力プロセッサー
１１６２    デジタルワイヤレス通信サブシステム
１１６４    ワイヤレストランシーバー
１１７０    センサーインターフェースサブユニット
１１７２    コネクター
１１７４    入力チャンネルインターフェース
１１７６    Ａ／Ｄコンバーター
１１７８    マルチプレクサー
１１８０    入力プロセッサー
１１９０    メディカルセンサーインターフェースサブユニット
１１９２    コネクター
１１９４    入力チャンネルインターフェース
１１９６    Ａ／Ｄコンバーター
１１９８    入力プロセッサー
１２００    メディカルセンサーインターフェースサブユニット
１２００    インターフェースサブユニット
１２０２    温度コネクター
１２０４    温度入力チャンネルインターフェース
１２０６    Ａ／Ｄコンバーター
１２１０    メディカルセンサーインターフェースサブユニット
１２１０    インターフェースサブユニット
１２１２    血液化学コネクター
１２１４    血液化学入力チャンネルインターフェース
１２１６    Ａ／Ｄコンバーター
１２１８    血液化学入力プロセッサー
１２２０    メディカルセンサーインターフェースサブユニット
１２２２    呼吸パラメーターコネクター
１２２４    呼吸パラメーター入力チャンネルインターフェース
１２２６    Ａ／Ｄコンバーター
１２２８    呼吸パラメーター入力プロセッサー
１２３０    マシンインターフェース
１２３２    コントローラー
１２５０    圧力モニターインターフェースサブユニット
１２５２    デジタルワイヤレス通信サブシステム
１２５４    ワイヤレストランシーバー
１２６２    圧力モニターインターフェースサブユニット
１２７０    ＥＣＧモニターインターフェースサブユニット
１２７２    ＳＰＯ２モニターインターフェースサブユニット
１２７４    温度モニターインターフェースサブユニット
１２７４    モニターインターフェースサブユニット
１２７６    血液化学モニターインターフェースサブユニット
１２７８    呼吸パラメーターモニターインターフェースサブユニット
１２９０    マン−マシーンインターフェース
１２９２    コントローラー
１３００    ハウジング
１３０２    前部
１３０４    後部
１３０８    前面パネル
１３１０    圧力変換ソケット
１３１２    血圧変換アセンブリー
１３１３    コネクター
１３１６    側面
１３２０    コネクターソケット
１３２２    センサーソケット
１３２４    温度センサーソケット
１３２６    制御パネル
１３２８    圧力チャンネル制御ボタン
１３３０    電池充電状態表示
１３３２    電源入切ボタン
１３３４    警報表示
１３３６    側面
１３３８    セレクターサポートエレメント
１３４０    ケーブル
１３４２    前面
【図１】
2009542300.tif 000002
【図２】
2009542300.tif 000003
【図３】
2009542300.tif 000004
【図４】
2009542300.tif 000005
【図５】
2009542300.tif 000006
【図６】
2009542300.tif 000007
【図７】
2009542300.tif 000008
【図８】
2009542300.tif 000009
【図９】
2009542300.tif 000010
【図１０】
2009542300.tif 000011
【図１１】
2009542300.tif 000012
【図１２】
2009542300.tif 000013
【図１３】
2009542300.tif 000014
【図１４】
2009542300.tif 000015
【図１５】
2009542300.tif 000016
【図１６】
2009542300.tif 000017
【図１７】
2009542300.tif 000018
【図１８】
2009542300.tif 000019
【図１９】
2009542300.tif 000020
【図２０】
2009542300.tif 000021
【図２１】
2009542300.tif 000022
【図２２】
2009542300.tif 000023
【図２３】
2009542300.tif 000024
【図２４】
2009542300.tif 000025
【図２５】
2009542300.tif 000026
【図２６】
2009542300.tif 000027
【図２７】
2009542300.tif 000028
【手続補正書】
【提出日】平成21年7月1日(2009.7.1)
【手続補正１】
【補正対象書類名】明細書
【補正対象項目名】特許請求の範囲
【補正方法】変更
【補正の内容】
【特許請求の範囲】
【請求項１】
少なくとも一つの患者の指標をモニターすることに適した、少なくとも一つのメディカルセンサーと、センサートランスミッターを有し、
メディカル情報ディスプレイを備えた複数のメディカルモニターと、
ワイヤレスで初期的に、複数のメディカルモニターのうちの一つを選択し、オペレーターが視覚的にセンシングできるモニター選択表示を提供する患者付添アセンブリーワイヤレストランシーバーとメディカルモニターセレクターとを備えた患者付添アセンブリーと、
前記複数のメディカルモニターのそれぞれが付属した、少なくとも一つのモニターインターフェースアセンブリーと、
複数のモニターインターフェースサブユニットとモニターワイヤレストランシーバーと、
前記患者付添アセンブリーワイヤレストランシーバーと通信するのに適した前記センサートランスミッターと、
少なくとも一つのメディカルセンサーインターフェースサブユニットを備えた前記患者付添アセンブリーを有することを特徴とするオペレーター制御メディカルモニタリングシステム。
【請求項２】
前記少なくとも一つのメディカルセンサーインターフェースサブユニットが、圧力センサーインターフェースサブユニット、ＥＣＧセンサーインターフェースサブユニット、ＳＰＯ２センサーインターフェースサブユニット、温度センサーインターフェースサブユニット、血液化学センサーインターフェースサブユニット、呼吸パラメーターセンサーインターフェースサブユニットのうちの少なくとも一つを備えたことを特徴とする請求項１に記載のオペレーター制御メディカルモニタリングシステム。
【請求項３】
前記少なくとも一つのメディカルセンサーインターフェースサブユニットが、
各々、メディカルセンサーに接続される複数のメディカルセンサーコネクターと、
各々、前記複数のメディカルセンサーコネクターの一つに接続され、各々アンプとフィルターを備えた複数のメディカルセンサー入力チャンネルインターフェースと、
前記複数のメディカルセンサー入力チャンネルインターフェースから受信したアナログメディカルセンサー信号を、デジタルメディカルセンサー信号に変換する、少なくとも一つのＡ／Ｄコンバーターと、
前記デジタルメディカルセンサー信号をデジタルワイヤレス通信に適合させ、前記デジタルメディカルセンサー信号を、前記患者付添アセンブリーワイヤレストランシーバーに供給するメディカルセンサー入力プロセッサーとを備えたことを特徴とする請求項１に記載のオペレーター制御メディカルモニタリングシステム。
【請求項４】
前記患者付添アセンブリーが、
前記少なくとも一つのメディカルセンサーに付随した少なくとも一つのセンサーコネクターを受ける少なくとも一つのソケットと、
前記少なくとも一つのセンサーコネクターを前記少なくとも一つのソケットに挿入することにより、前記患者付添アセンブリーの電源を入にする電力制御機能を有することを特徴とする請求項１に記載のオペレーター制御メディカルモニタリングシステム。
【請求項５】
前記複数のメディカルモニターがそれぞれ、前記メディカルモニターから得た電力を少なくとも一つの前記モニターワイヤレストランシーバーと、他のセンサーソケットに結合した電気回路に供給する、少なくとも一つのセンサーソケットを備えたことを特徴とする請求項１に記載のオペレーター制御メディカルモニタリングシステム。
【請求項６】
少なくとも一つの患者の特徴をモニターする少なくとも一つのメディカルセンサーと、
患者付添アセンブリーワイヤレストランシーバーを含む患者付添アセンブリーと、
それぞれがモニターワイヤレストランシーバーとメディカル情報ディスプレイを有し、前記モニターワイヤレストランシーバーの電源が前記メディカル情報ディスプレイの電源でもある、複数のメディカルモニターと、
前記複数のメディカルモニターがそれぞれ、前記電力を少なくとも一つの前記モニターワイヤレストランシーバーと、他のセンサーソケットに結合した電気回路に供給する、少なくとも一つのセンサーソケットを備えたことを特徴とするオペレーター制御メディカルモニタリングシステム。
【請求項７】
少なくとも一つの患者指標をモニターする少なくとも一つのメディカルセンサーと、各々モニターワイヤレストランシーバーとメディカル情報ディスプレイを有する複数のメディカルモニターとを有する、少なくとも一つのメディカルセンサーと、
ワイヤレスで複数のメディカルモニターの選択を初期化し、オペレーターが視認できるモニター選択表示をおこなう患者付添アセンブリーワイヤレストランシーバーとメディカルモニターセレクターとを有することを特徴とするオペレーター制御メディカルモニタリングシステムに有用な患者付添アセンブリー。
【請求項８】
少なくとも一つの患者の特徴をモニターする少なくとも一つのメディカルセンサーと、
それぞれモニターワイヤレストランシーバーとメディカル情報ディスプレイを備えた複数のメディカルモニターとを用いて、
患者付添アセンブリーワイヤレストランシーバーとメディカルモニターセレクターを含み、ワイヤレスで複数のメディカルモニターから一つを初期選択し、オペレーターが視認できるモニター選択表示をおこなう患者付添アセンブリーを用いることを特徴とする患者のオペレーター制御メディカルモニタリング方法。
【手続補正２】
【補正対象書類名】明細書
【補正対象項目名】０００３
【補正方法】変更
【補正の内容】
【０００３】
【特許文献１】米国特許番号：5,036,869; 5,394,882;6,093,146; 6,544,173; 6,544,174; 6,705,990; 6,749,566; 6,801,137;6,817,979; 6,852,084; 6,840,904; 6,139,503 および米国公開特許公報番号：2004/0203434, 2007/0112274。
【国際調査報告】
2009542300.tif 000029
2009542300.tif 000030